(57)【要約】複数の接続が同時に切断しつつある時に、通信接続を打ち切りから救済する方法が開示される。接続の同時救済は、順方向リンクおよび逆方向リンクベースの救済手続の両方に適用することができる。１つのアプローチにおいて、ネットワークは、複数のＭＳに救済コードを割り当て、その後、救済コードによって定義される救済チャネルを用いて同時救済が開始される。衝突の機会を最小化するために、ネットワークは、可能な限り、救済が必要な複数のＭＳが異なる救済コードを使用することを保証しようと試みる。他の相互に排他的ではないアプローチにおいては、ネットワークは、救済スロットを使用して切断の危険にある複数の接続を連続的に救済することができる。その救済スロットアプローチにおいては、個々のＭＳが救済を試行するための異なる救済スロットを選び、あるいは割り当てられる。
2004514344.tif 000002
【特許請求の範囲】
【請求項１】
複数の移動局（ＭＳ）との通信を可能とするための通信ネットワークにおいて、潜在的な接続の切断を持つ１ないしは複数の移動局（ＭＳ）を救済するための方法であって、
潜在的な接続の切断に直面する前に、複数の移動局（ＭＳ）に複数の救済コードを割り当て、
潜在的な接続の切断を検出し、
潜在的な接続の切断を持つ各移動局（ＭＳ）に対して、その移動局（ＭＳ）に割り当てられた救済コードによって定義される救済チャネルを送信し、
ネットワークにおいて、潜在的な接続の切断を持つ各移動局（ＭＳ）によって送信される救済チャネルをサーチし、そして、
ネットワークによって受信された各救済チャネルに関して、その救済チャネルを送信した移動局（ＭＳ）との接続を継続することを含む方法。
【請求項２】
複数の移動局（ＭＳ）に複数の救済コードを割り当てることが、初期的に複数の移動局（ＭＳ）に複数の救済コードを等しく配分するように割り当てることを含み、さらに、１つの移動局（ＭＳ）が潜在的な接続の切断を持つとして検出された各時点において、すべての残りの非切断の移動局（ＭＳ）に、潜在的な接続の切断を持つとして検出された移動局（ＭＳ）に割り当てられていない複数の救済コードを等しく配分するように割り当てることを含む請求項１記載の方法。
【請求項３】
さらに、移動局（ＭＳ）との接続を継続することによって移動局（ＭＳ）が救済される各時点において、すべての残りの非切断の移動局（ＭＳ）に、潜在的な接続の切断を持つとして検出された移動局（ＭＳ）に割り当てられていない複数の救済コードを等しく配分するように再割り当てを行うとともに、その等しい分配には、救済された移動局（ＭＳ）に割り当てられる救済コードを含む請求項２記載の方法。
【請求項４】
複数の移動局（ＭＳ）に複数の救済コードを割り当てることが、初期的に複数の移動局（ＭＳ）に複数の救済コードを等しく配分するように割り当てることを含み、さらに、１つの移動局（ＭＳ）が潜在的な接続の切断を持つとして検出された各時点において、次に最も切断する可能性が高い移動局（ＭＳ）に、潜在的な接続の切断を持つとして検出された移動局（ＭＳ）に割り当てられていない１つの救済コードを割り当て、その後、すべての残りの非切断の移動局（ＭＳ）に、潜在的な接続の切断を持つとして検出された移動局（ＭＳ）および次に最も切断する可能性が高い移動局（ＭＳ）に割り当てられていない複数の救済コードを等しく配分するように割り当てることを含む請求項１記載の方法。
【請求項５】
さらに、移動局（ＭＳ）との接続を継続することによって移動局（ＭＳ）が救済される各時点において、次に最も切断する可能性が高い移動局（ＭＳ）を除くすべての残りの非切断の移動局（ＭＳ）に、潜在的な接続の切断を持つとして検出された移動局（ＭＳ）および次に最も切断する可能性が高い移動局（ＭＳ）に割り当てられていない複数の救済コードを等しく配分するように再割り当てを行うとともに、その等しい分配には、救済された移動局（ＭＳ）に割り当てられる救済コードを含む請求項４記載の方法。
【請求項６】
さらに、ネットワークから最も弱い信号を受信している非切断の移動局（ＭＳ）を識別することによって、次に最も切断する可能性が高い移動局（ＭＳ）を決定することを含む請求項４記載の方法。
【請求項７】
さらに、潜在的な接続の切断を持つとして検出された移動局（ＭＳ）と類似のパイロットエネルギーのパターンをもつ非切断の移動局（ＭＳ）を識別することによって、次に最も切断する可能性が高い移動局（ＭＳ）を決定することを含む請求項４記載の方法。
【請求項８】
さらに、潜在的な接続の切断を持つとして検出された移動局（ＭＳ）と同じエリア内に位置する非切断の移動局（ＭＳ）を識別することによって、次に最も切断する可能性が高い移動局（ＭＳ）を決定することを含む請求項４記載の方法。
【請求項９】
さらに、そこから所定数の不良フレームが受信された非接続の移動局（ＭＳ）を識別することによって、次に最も切断する可能性が高い移動局（ＭＳ）を決定することを含む請求項４記載の方法。
【請求項１０】
さらに、所定数の再送信メッセージがネットワークによって送信された後に、そこから適切な確認応答が受信されない非切断の移動局（ＭＳ）を識別することによって、次に最も切断する可能性が高い移動局（ＭＳ）を決定することを含む請求項４記載の方法。
【請求項１１】
複数の移動局（ＭＳ）に複数の救済コードを割り当てることが、ＥＳＮベースのハッシュを使用して、移動局（ＭＳ）に擬似ランダムに救済コードを割り当てることを含む請求項１記載の方法。
【請求項１２】
複数の移動局（ＭＳ）に複数の救済コードを割り当てることが、移動局（ＭＳ）の位置に基づいて救済コードを移動局（ＭＳ）に割り当てることを含む請求項１記載の方法。
【請求項１３】
複数の移動局（ＭＳ）との通信を可能とするための通信ネットワークにおいて、潜在的な接続の切断を持つ１ないしは複数の移動局（ＭＳ）を救済するための方法であって、
潜在的な接続の切断に直面する前に、複数の移動局（ＭＳ）に複数の救済スロットを割り当て、
潜在的な接続の切断を検出し、
潜在的な接続の切断を持つ各移動局（ＭＳ）に対して、その移動局（ＭＳ）に割り当てられた救済スロットの間、救済チャネルを送信し、
ネットワークにおいて、潜在的な接続の切断を持つ各移動局（ＭＳ）によって送信される救済チャネルをサーチし、そして、
ネットワークによって受信された各救済チャネルに関して、その救済チャネルを送信した移動局（ＭＳ）との接続を継続することを含む方法。
【請求項１４】
複数の移動局（ＭＳ）に複数の救済スロットを割り当てることが、ＥＳＮベースのハッシュを使用して、移動局（ＭＳ）に擬似ランダムに救済スロットを割り当てることを含む請求項１３記載の方法。
【請求項１５】
複数の移動局（ＭＳ）に複数の救済スロットを割り当てることが、移動局（ＭＳ）の位置に基づいて救済スロットを移動局（ＭＳ）に割り当てることを含む請求項１３記載の方法。
【請求高１６】利用可能な救済スロットの総数が、潜在的な接続の切断を持つ移動局（ＭＳ）が救済の開始までに待機しなければならない時間と、救済の必要がある複数の移動局（ＭＳ）が同じ救済スロットに割り当てられる可能性とをともに最小化するように経験的に選択される請求項１３記載の方法。
【請求項１７】
各救済スロットは、通常の救済期間に略等しい請求項１３記載の方法。
【請求項１８】
各救済スロットは、救済の試行の間の移動局（ＭＳ）送信期間に略等しい請求項１３記載の方法。
【請求項１９】
各救済スロットは、救済の試行の間の移動局（ＭＳ）送信期間よりも短く、かつ各救済スロットの実際の期間は、移動局（ＭＳ）の送信オーバーラップの機会を最小化するために、利用可能な救済スロットの総数を考慮して、経験的に選択される請求項１６記載の方法。
【請求項２０】
複数の移動局（ＭＳ）との通信を可能とするための通信ネットワークにおいて、潜在的な接続の切断を持つ１ないしは複数の移動局（ＭＳ）を救済するための方法であって、
潜在的な接続の切断に直面する前に、複数の移動局（ＭＳ）に複数の救済コードを割り当て、
潜在的な接続の切断を検出し、
潜在的な接続の切断を持つ各移動局（ＭＳ）に割り当てられる救済コードによって各救済チャネルを定義し、潜在的な接続の切断を持つ各移動局（ＭＳ）に対してネットワークから救済チャネルを送信し、
潜在的な接続の切断を持つ各移動局（ＭＳ）において、その移動局（ＭＳ）に割り当てられた救済コードによって定義される救済チャネルをサーチし、そして、
その救済チャネルが発見されたとき、接続を継続することを含む方法。
【請求項２１】
複数の移動局（ＭＳ）に複数の救済コードを割り当てることが、初期的に複数の移動局（ＭＳ）に複数の救済コードを等しく配分するように割り当てることを含み、さらに、１つの移動局（ＭＳ）が潜在的な接続の切断を持つとして検出された各時点において、すべての残りの非切断の移動局（ＭＳ）に、潜在的な接続の切断を持つとして検出された移動局（ＭＳ）に割り当てられていない複数の救済コードを等しく配分するように割り当てることを含む請求項２０記載の方法。
【請求項２２】
さらに、移動局（ＭＳ）との接続を継続することによって移動局（ＭＳ）が救済される各時点において、すべての残りの非切断の移動局（ＭＳ）に、潜在的な接続の切断を持つとして検出された移動局（ＭＳ）に割り当てられていない複数の救済コードを等しく配分するように再割り当てを行うとともに、その等しい分配には、救済された移動局（ＭＳ）に割り当てられる救済コードを含む請求項２１記載の方法。
【請求項２３】
複数の移動局（ＭＳ）に複数の救済コードを割り当てることが、初期的に複数の移動局（ＭＳ）に複数の救済コードを等しく配分するように割り当てることを含み、さらに、１つの移動局（ＭＳ）が潜在的な接続の切断を持つとして検出された各時点において、次に最も切断する可能性が高い移動局（ＭＳ）に、潜在的な接続の切断を持つとして検出された移動局（ＭＳ）に割り当てられていない１つの救済コードを割り当て、その後、すべての残りの非切断の移動局（ＭＳ）に、潜在的な接続の切断を持つとして検出された移動局（ＭＳ）および次に最も切断する可能性が高い移動局（ＭＳ）に割り当てられていない複数の救済コードを等しく配分するように割り当てることを含む請求項２１記載の方法。
【請求項２４】
さらに、移動局（ＭＳ）との接続を継続することによって移動局（ＭＳ）が救済される各時点において、次に最も切断する可能性が高い移動局（ＭＳ）を除くすべての残りの非切断の移動局（ＭＳ）に、潜在的な接続の切断を持つとして検出された移動局（ＭＳ）および次に最も切断する可能性が高い移動局（ＭＳ）に割り当てられていない複数の救済コードを等しく配分するように再割り当てを行うとともに、その等しい分配には、救済された移動局（ＭＳ）に割り当てられる救済コードを含む請求項２３記載の方法。
【請求項２５】
さらに、ネットワークから最も弱い信号を受信している非切断の移動局（ＭＳ）を識別することによって、次に最も切断する可能性が高い移動局（ＭＳ）を決定することを含む請求項２３記載の方法。
【請求項２６】
さらに、潜在的な接続の切断を持つとして検出された移動局（ＭＳ）と類似のパイロットエネルギーのパターンをもつ非切断の移動局（ＭＳ）を識別することによって、次に最も切断する可能性が高い移動局（ＭＳ）を決定することを含む請求項２３記載の方法。
【請求項２７】
さらに、潜在的な接続の切断を持つとして検出された移動局（ＭＳ）と同じエリア内に位置する非切断の移動局（ＭＳ）を識別することによって、次に最も切断する可能性が高い移動局（ＭＳ）を決定することを含む請求項２３記載の方法。
【請求項２８】
さらに、そこから所定数の不良フレームが受信された非接続の移動局（ＭＳ）を識別することによって、次に最も切断する可能性が高い移動局（ＭＳ）を決定することを含む請求項２３記載の方法。
【請求項２９】
さらに、所定数の再送信メッセージがネットワークによって送信された後に、そこから適切な確認応答が受信されない非切断の移動局（ＭＳ）を識別することによって、次に最も切断する可能性が高い移動局（ＭＳ）を決定することを含む請求項２３記載の方法。
【請求項３０】
複数の移動局（ＭＳ）に複数の救済コードを割り当てることが、ＥＳＮベースのハッシュを使用して、移動局（ＭＳ）に擬似ランダムに救済コードを割り当てることを含む請求項２０記載の方法。
【請求項３１】
複数の移動局（ＭＳ）に複数の救済コードを割り当てることが、移動局（ＭＳ）の位置に基づいて救済コードを移動局（ＭＳ）に割り当てることを含む請求項２０記載の方法。
【請求項３２】
複数の移動局（ＭＳ）との通信を可能とするための通信ネットワークにおいて、潜在的な接続の切断を持つ１ないしは複数の移動局（ＭＳ）を救済するための方法であって、
潜在的な接続の切断に直面する前に、複数の移動局（ＭＳ）に複数の救済スロットを割り当て、
潜在的な接続の切断を検出し、
潜在的な接続の切断を持つ各移動局（ＭＳ）に対して、その移動局（ＭＳ）に割り当てられた救済スロットの間、ネットワークから潜在的な接続の切断を持つ移動局（ＭＳ）に割り当てられた救済チャネルを送信し、
潜在的な接続の切断を持つ各移動局（ＭＳ）において、ネットワークによって送信されるその移動局（ＭＳ）に割り当てられた救済チャネルをサーチし、そして、
救済チャネルが発見されたときに接続を継続することを含む方法。
【請求項３３】
複数の移動局（ＭＳ）に複数の救済スロットを割り当てることが、ＥＳＮベースのハッシュを使用して、移動局（ＭＳ）に擬似ランダムに救済スロットを割り当てることを含む請求項３２記載の方法。
【請求項３４】
複数の移動局（ＭＳ）に複数の救済スロットを割り当てることが、移動局（ＭＳ）の位置に基づいて救済スロットを移動局（ＭＳ）に割り当てることを含む請求項３２記載の方法。
【請求項３５】
利用可能な救済スロットの総数が、潜在的な接続の切断を持つ移動局（ＭＳ）が救済の開始までに待機しなければならない時間と、救済の必要がある複数の移動局（ＭＳ）が同じ救済スロットに割り当てられる可能性とをともに最小化するように経験的に選択される請求項３２記載の方法。
【請求項３６】
各救済スロットは、通常の救済期間に略等しい請求項３２記載の方法。
【請求項３７】
各救済スロットは、救済の試行の間のネットワーク送信期間に略等しい請求項３２記載の方法。
【請求項３８】
各救済スロットは、救済の試行の間のネットワーク送信期間よりも短く、かつ各救済スロットの実際の期間は、ネットワークの送信オーバーラップの機会を最小化するために、利用可能な救済スロットの総数を考慮して、経験的に選択される請求項３５記載の方法。
【請求項３９】
複数の移動局（ＭＳ）との通信を可能とするための通信ネットワークにおいて、その複数の移動局（ＭＳ）は、潜在的な接続の切断を持ちかつ救済チャネルを送信することが可能な２ないしはそれ以上の移動局（ＭＳ）を含み、その潜在的な接続の切断を持つ複数の移動局（ＭＳ）の１ないしは複数を救済することを援助するようにネットワークを作動させるための方法であって、
潜在的な接続の切断に直面する前に、複数の移動局（ＭＳ）に複数の救済コードを割り当て、
潜在的な接続の切断を検出し、
潜在的な接続の切断を持つ各移動局（ＭＳ）によって送信されるとともに、その移動局（ＭＳ）に割り当てられた救済コードによって定義される救済チャネルをサーチし、そして、
ネットワークによって受信された各救済チャネルに関して、その救済チャネルを送信した移動局（ＭＳ）との接続を継続することを含む方法。
【請求項４０】
複数の移動局（ＭＳ）に複数の救済コードを割り当てることが、初期的に複数の移動局（ＭＳ）に複数の救済コードを等しく配分するように割り当てることを含み、さらに、１つの移動局（ＭＳ）が潜在的な接続の切断を持つとして検出された各時点において、すべての残りの非切断の移動局（ＭＳ）に、潜在的な接続の切断を持つとして検出された移動局（ＭＳ）に割り当てられていない複数の救済コードを等しく配分するように割り当てることを含む請求項３９記載の方法。
【請求項４１】
さらに、移動局（ＭＳ）との接続を継続することによって移動局（ＭＳ）が救済される各時点において、すべての残りの非切断の移動局（ＭＳ）に、潜在的な接続の切断を持つとして検出された移動局（ＭＳ）に割り当てられていない複数の救済コードを等しく配分するように再割り当てを行うとともに、その等しい分配には、救済された移動局（ＭＳ）に割り当てられる救済コードを含む請求項４０記載の方法。
【請求項４２】
複数の移動局（ＭＳ）に複数の救済コードを割り当てることが、初期的に複数の移動局（ＭＳ）に複数の救済コードを等しく配分するように割り当てることを含み、さらに、１つの移動局（ＭＳ）が潜在的な接続の切断を持つとして検出された各時点において、次に最も切断する可能性が高い移動局（ＭＳ）に、潜在的な接続の切断を持つとして検出された移動局（ＭＳ）に割り当てられていない１つの救済コードを割り当て、その後、すべての残りの非切断の移動局（ＭＳ）に、潜在的な接続の切断を持つとして検出された移動局（ＭＳ）および次に最も切断する可能性が高い移動局（ＭＳ）に割り当てられていない複数の救済コードを等しく配分するように割り当てることを含む請求項３９記載の方法。
【請求項４３】
さらに、移動局（ＭＳ）との接続を継続することによって移動局（ＭＳ）が救済される各時点において、次に最も切断する可能性が高い移動局（ＭＳ）を除くすべての残りの非切断の移動局（ＭＳ）に、潜在的な接続の切断を持つとして検出された移動局（ＭＳ）および次に最も切断する可能性が高い移動局（ＭＳ）に割り当てられていない複数の救済コードを等しく配分するように再割り当てを行うとともに、その等しい分配には、救済された移動局（ＭＳ）に割り当てられる救済コードを含む請求項４２記載の方法。
【請求項４４】
複数の移動局（ＭＳ）との通信を可能とするための通信ネットワークにおいて、その複数の移動局（ＭＳ）は、潜在的な接続の切断を持つ２ないしはそれ以上の移動局（ＭＳ）を含み、潜在的な接続の切断を持つ各異動局（ＭＳ）は割り当てられた救済スロットの間、救済チャネルを送信することが可能であり、その潜在的な接続の切断を持つ複数の移動局（ＭＳ）の１ないしは複数を救済することを援助するようにネットワークを作動させるための方法であって、
潜在的な接続の切断に直面する前に、複数の移動局（ＭＳ）に複数の救済スロットを割り当て、
潜在的な接続の切断を検出し、
潜在的な接続の切断を持つ各移動局（ＭＳ）によって、その移動局（ＭＳ）に割り当てられた救済スロットの間に送信される救済チャネルをサーチし、そして、
ネットワークによって受信された各救済チャネルに関して、その救済チャネルを送信した移動局（ＭＳ）との接続を継続することを含む方法。
【請求項４５】
利用可能な救済スロットの総数が、潜在的な接続の切断を持つ移動局（ＭＳ）が救済の開始までに待機しなければならない時間と、救済の必要がある複数の移動局（ＭＳ）が同じ救済スロットに割り当てられる可能性とをともに最小化するように経験的に選択される請求項４４記載の方法。
【請求項４６】
各救済スロットは、救済の試行の間の移動局（ＭＳ）の送信期間よりも短く、かつ各救済スロットの実際の期間は、移動局（ＭＳ）の送信オーバーラップの機会を最小化するために、利用可能な救済スロットの総数を考慮して、経験的に選択される請求項４４記載の方法。
【請求項４７】
複数の移動局（ＭＳ）との通信を可能とするための通信ネットワークにおいて、その複数の移動局（ＭＳ）は、潜在的な接続の切断を持つ２ないしはそれ以上の移動局（ＭＳ）を含み、潜在的な接続の切断を持つ各移動局（ＭＳ）は救済チャネルを受信し、かつ潜在的な接続の切断を救済することが可能であり、その潜在的な接続の切断を持つ複数の移動局（ＭＳ）の１ないしは複数を救済することを援助するようにネットワークを作動させるための方法であって、
潜在的な接続の切断に直面する前に、複数の移動局（ＭＳ）に複数の救済コードを割り当て、
潜在的な接続の切断を検出し、そして、
潜在的な接続の切断を持つ各移動局（ＭＳ）のための救済チャネルをネットワークから送信し、その救済チャネルは、潜在的な接続の切断を持つ各移動局（ＭＳ）に割り当てられる救済コードによって定義されることを含む方法。
【請求項４８】
複数の移動局（ＭＳ）に複数の救済コードを割り当てることが、初期的に複数の移動局（ＭＳ）に複数の救済コードを等しく配分するように割り当てることを含み、さらに、１つの移動局（ＭＳ）が潜在的な接続の切断を持つとして検出された各時点において、すべての残りの非切断の移動局（ＭＳ）に、潜在的な接続の切断を持つとして検出された移動局（ＭＳ）に割り当てられていない複数の救済コードを等しく配分するように割り当てることを含む請求項４７記載の方法。
【請求項４９】
さらに、移動局（ＭＳ）との接続を継続することによって移動局（ＭＳ）が救済される各時点において、すべての残りの非切断の移動局（ＭＳ）に、潜在的な接続の切断を持つとして検出された移動局（ＭＳ）に割り当てられていない複数の救済コードを等しく配分するように再割り当てを行うとともに、その等しい分配には、救済された移動局（ＭＳ）に割り当てられる救済コードを含む請求項４８記載の方法。
【請求項５０】
複数の移動局（ＭＳ）に複数の救済コードを割り当てることが、初期的に複数の移動局（ＭＳ）に複数の救済コードを等しく配分するように割り当てることを含み、さらに、１つの移動局（ＭＳ）が潜在的な接続の切断を持つとして検出された各時点において、次に最も切断する可能性が高い移動局（ＭＳ）に、潜在的な接続の切断を持つとして検出された移動局（ＭＳ）に割り当てられていない１つの救済コードを割り当て、その後、すべての残りの非切断の移動局（ＭＳ）に、潜在的な接続の切断を持つとして検出された移動局（ＭＳ）および次に最も切断する可能性が高い移動局（ＭＳ）に割り当てられていない複数の救済コードを等しく配分するように割り当てることを含む請求項４７記載の方法。
【請求項５１】
さらに、移動局（ＭＳ）との接続を継続することによって移動局（ＭＳ）が救済される各時点において、次に最も切断する可能性が高い移動局（ＭＳ）を除くすべての残りの非切断の移動局（ＭＳ）に、潜在的な接続の切断を持つとして検出された移動局（ＭＳ）および次に最も切断する可能性が高い移動局（ＭＳ）に割り当てられていない複数の救済コードを等しく配分するように再割り当てを行うとともに、その等しい分配には、救済された移動局（ＭＳ）に割り当てられる救済コードを含む請求項５０記載の方法。
【請求項５２】
複数の移動局（ＭＳ）との通信を可能とするための通信ネットワークにおいて、その複数の移動局（ＭＳ）は、潜在的な接続の切断を持つ２ないしはそれ以上の移動局（ＭＳ）を含み、潜在的な接続の切断を持つ各異動局（ＭＳ）は割り当てられた救済スロットの間、救済チャネルを受信し、潜在的な接続の切断を救済することが可能であり、その潜在的な接続の切断を持つ複数の移動局（ＭＳ）の１ないしは複数を救済することを援助するようにネットワークを作動させるための方法であって、
潜在的な接続の切断に直面する前に、複数の移動局（ＭＳ）に複数の救済スロットを割り当て、
潜在的な接続の切断を検出し、そして、
潜在的な接続の切断を持つ各移動局（ＭＳ）に対して、その移動局（ＭＳ）に割り当てられた救済スロットの間に、その潜在的な接続の切断を持つ移動局（ＭＳ）に割り当てられた救済チャネルをネットワークから送信することを含む方法。
【請求項５３】
利用可能な救済スロットの総数が、潜在的な接続の切断を持つ移動局（ＭＳ）が救済の開始までに待機しなければならない時間と、救済の必要がある複数の移動局（ＭＳ）が同じ救済スロットに割り当てられる可能性とをともに最小化するように経験的に選択される請求項５２記載の方法。
【請求項５４】
各救済スロットは、救済の試行の間のネットワーク送信期間よりも短く、かつ各救済スロットの実際の期間は、ネットワークの送信オーバーラップの機会を最小化するために、利用可能な救済スロットの総数を考慮して、経験的に選択される請求項５２記載の方法。
【請求項５５】
複数の移動局（ＭＳ）が通信ネットワークとの潜在的な接続の切断を持つ２ないしはそれ以上の移動局（ＭＳ）を含み、それらの潜在的な接続の切断の１ないしは複数を救済することを援助するように、複数の移動局（ＭＳ）を作動させる方法であって、ネットワークは潜在的な接続の切断を持つ複数の移動局（ＭＳ）の各々から救済チャネルを受信し、その接続を救済することが可能であり、
複数の移動局（ＭＳ）の各々が、潜在的な接続の切断に直面する前に、割り当てられた救済コードを受信し、
潜在的な接続の切断を検出し、そして、
潜在的な接続の切断を持つ各移動局（ＭＳ）が、その移動局（ＭＳ）に割り当てられた救済コードによって定義される救済チャネルを送信することを含む方法。
【請求項５６】
複数の移動局（ＭＳ）が通信ネットワークとの潜在的な接続の切断を持つ２ないしはそれ以上の移動局（ＭＳ）を含み、それらの潜在的な接続の切断の１ないしは複数を救済することを援助するように、複数の移動局（ＭＳ）を作動させる方法であって、ネットワークは潜在的な接続の切断を持つ複数の移動局（ＭＳ）の各々から、割り当てられた救済スロットの間に救済チャネルを受信し、その接続を救済することが可能であり、
複数の移動局（ＭＳ）の各々が、潜在的な接続の切断に直面する前に、割り当てられた救済スロットを受信し、
潜在的な接続の切断を検出し、そして、
潜在的な接続の切断を持つ各移動局（ＭＳ）が、その移動局（ＭＳ）に割り当てられた救済スロットの間に救済チャネルを送信することを含む方法。
【請求項５７】
複数の移動局（ＭＳ）が通信ネットワークとの潜在的な接続の切断を持つ２ないしはそれ以上の移動局（ＭＳ）を含み、それらの潜在的な接続の切断の１ないしは複数を救済することを援助するように、複数の移動局（ＭＳ）を作動させる方法であって、ネットワークは潜在的な接続の切断を持つ複数の移動局（ＭＳ）の各々に対して救済チャネルを送信するものであり、
複数の移動局（ＭＳ）の各々が、潜在的な接続の切断に直面する前に、割り当てられた救済コードを受信し、
潜在的な接続の切断を検出し、
潜在的な接続の切断を持つ各移動局（ＭＳ）において、その移動局（ＭＳ）に割り当てられた救済コードによって定義される救済チャネルをサーチし、そして、
その救済チャネルが発見されたときに、接続を継続することを含む方法。
【請求項５８】
複数の移動局（ＭＳ）が通信ネットワークとの潜在的な接続の切断を持つ２ないしはそれ以上の移動局（ＭＳ）を含み、それらの潜在的な接続の切断の１ないしは複数を救済することを援助するように、複数の移動局（ＭＳ）を作動させる方法であって、ネットワークは潜在的な接続の切断を持つ複数の移動局（ＭＳ）の各々に対して、割り当てられた救済スロットの間に救済チャネルを送信することが可能であり、
複数の移動局（ＭＳ）の各々が、潜在的な接続の切断に直面する前に、割り当てられた救済スロットを受信し、
潜在的な接続の切断を検出し、
潜在的な接続の切断を持つ各移動局（ＭＳ）において、その移動局（ＭＳ）に割り当てられた救済スロットの間に救済チャネルをサーチし、そして、
その救済チャネルが発見されたときに、接続を継続することを含む方法。
【請求項５９】
複数の移動局（ＭＳ）との通信を可能とし、かつ潜在的な接続の切断を持つ１ないしは複数の移動局（ＭＳ）を救済するための通信システムであって、
潜在的な接続の切断に直面する前に、複数の移動局（ＭＳ）に複数の救済コードを割り当て、かつ潜在的な接続の切断を検出するようにプログラムされたプロセッサを備えるネットワーク、および
１ないしは複数の移動局（ＭＳ）を備え、各移動局（ＭＳ）は、潜在的な接続の切断を検出し、かつ、その移動局（ＭＳ）に割り当てられた救済コードによって定義される救済チャネルを送信するためのＭＳプロセッサを備えるものであり、
ネットワークプロセッサは、さらに、潜在的な接続の切断を持つ各移動局（ＭＳ）によって送信される救済チャネルをサーチし、そして、ネットワークによって受信された各救済チャネルに関して、その救済チャネルを送信した移動局（ＭＳ）との接続を継続するようにプログラムされている通信システム。
【請求項６０】
ネットワークプロセッサは、さらに、初期的に複数の移動局（ＭＳ）に複数の救済コードを等しく配分するように割り当て、そして、１つの移動局（ＭＳ）が潜在的な接続の切断を持つとして検出された各時点において、すべての残りの非切断の移動局（ＭＳ）に、潜在的な接続の切断を持つとして検出された移動局（ＭＳ）に割り当てられていない複数の救済コードを等しく配分するように割り当てるようにプログラムされている請求項５９記載のシステム。
【請求項６１】
ネットワークプロセッサは、さらに、移動局（ＭＳ）との接続を継続することによって移動局（ＭＳ）が救済される各時点において、すべての残りの非切断の移動局（ＭＳ）に、潜在的な接続の切断を持つとして検出された移動局（ＭＳ）に割り当てられていない複数の救済コードを等しく配分するように再割り当てを行うとともに、その等しい分配には、救済された移動局（ＭＳ）に割り当てられる救済コードを含むようにプログラムされている請求項６０記載のシステム。
【請求項６２】
ネットワークプロセッサは、さらに、初期的に複数の移動局（ＭＳ）に複数の救済コードを等しく配分するように割り当て、そして、１つの移動局（ＭＳ）が潜在的な接続の切断を持つとして検出された各時点において、次に最も切断する可能性が高い移動局（ＭＳ）に、潜在的な接続の切断を持つとして検出された移動局（ＭＳ）に割り当てられていない１つの救済コードを割り当て、その後、すべての残りの非切断の移動局（ＭＳ）に、潜在的な接続の切断を持つとして検出された移動局（ＭＳ）および次に最も切断する可能性が高い移動局（ＭＳ）に割り当てられていない複数の救済コードを等しく配分するように割り当てるようにプログラムされている請求項５９記載のシステム。
【請求項６３】
ネットワークプロセッサは、さらに、移動局（ＭＳ）との接続を継続することによって移動局（ＭＳ）が救済される各時点において、次に最も切断する可能性が高い移動局（ＭＳ）を除くすべての残りの非切断の移動局（ＭＳ）に、潜在的な接続の切断を持つとして検出された移動局（ＭＳ）および次に最も切断する可能性が高い移動局（ＭＳ）に割り当てられていない複数の救済コードを等しく配分するように再割り当てを行うとともに、その等しい分配には、救済された移動局（ＭＳ）に割り当てられる救済コードを含むようにプログラムされている請求項６２記載のシステム。
【請求項６４】
複数の移動局（ＭＳ）との通信を可能とし、かつ潜在的な接続の切断を持つ１ないしは複数の移動局（ＭＳ）を救済するための通信システムであって、
潜在的な接続の切断に直面する前に、複数の移動局（ＭＳ）に複数の救済スロットを割り当て、かつ潜在的な接続の切断を検出するようにプログラムされたプロセッサを備えるネットワーク、および
１ないしは複数の移動局（ＭＳ）を備え、各移動局（ＭＳ）は、潜在的な接続の切断を検出し、かつ、その移動局（ＭＳ）に割り当てられた救済スロットの間に救済チャネルを送信するようにプログラムされたＭＳプロセッサを備えるものであり、
ネットワークプロセッサは、さらに、潜在的な接続の切断を持つ各移動局（ＭＳ）によって送信される救済チャネルをサーチし、そして、ネットワークによって受信された各救済チャネルに関して、その救済チャネルを送信した移動局（ＭＳ）との接続を継続するようにプログラムされている通信システム。
【請求項６５】
複数の移動局（ＭＳ）との通信を可能とし、かつ潜在的な接続の切断を持つ１ないしは複数の移動局（ＭＳ）を救済するための通信システムであって、
潜在的な接続の切断に直面する前に、複数の移動局（ＭＳ）に複数の救済コードを割り当て、潜在的な接続の切断を検出し、そして潜在的な接続の切断を持つ各移動局（ＭＳ）に対して、その潜在的な接続の切断を持つ各移動局（ＭＳ）に割り当てられた救済コードによって定義される救済チャネルをネットワークから送信するようにプログラムされたプロセッサを備えるネットワーク、および
１ないしは複数の移動局（ＭＳ）を備え、各移動局（ＭＳ）は、潜在的な接続の切断を検出し、その移動局（ＭＳ）に割り当てられた救済コードによって定義される救済チャネルをサーチし、そしてその救済チャネルが発見されたときに接続を継続するようにプログラムされたＭＳプロセッサを備える通信システム。
【請求項６６】
ネットワークプロセッサは、さらに、初期的に複数の移動局（ＭＳ）に複数の救済コードを等しく配分するように割り当て、そして、１つの移動局（ＭＳ）が潜在的な接続の切断を持つとして検出された各時点において、すべての残りの非切断の移動局（ＭＳ）に、潜在的な接続の切断を持つとして検出された移動局（ＭＳ）に割り当てられていない複数の救済コードを等しく配分するように割り当てるようにプログラムされている請求項６５記載のシステム。
【請求項６７】
ネットワークプロセッサは、さらに、移動局（ＭＳ）との接続を継続することによって移動局（ＭＳ）が救済される各時点において、すべての残りの非切断の移動局（ＭＳ）に、潜在的な接続の切断を持つとして検出された移動局（ＭＳ）に割り当てられていない複数の救済コードを等しく配分するように再割り当てを行うとともに、その等しい分配には、救済された移動局（ＭＳ）に割り当てられる救済コードを含むようにプログラムされている請求項６６記載のシステム。
【請求項６８】
ネットワークプロセッサは、さらに、初期的に複数の移動局（ＭＳ）に複数の救済コードを等しく配分するように割り当て、そして、１つの移動局（ＭＳ）が潜在的な接続の切断を持つとして検出された各時点において、次に最も切断する可能性が高い移動局（ＭＳ）に、潜在的な接続の切断を持つとして検出された移動局（ＭＳ）に割り当てられていない１つの救済コードを割り当て、その後、すべての残りの非切断の移動局（ＭＳ）に、潜在的な接続の切断を持つとして検出された移動局（ＭＳ）および次に最も切断する可能性が高い移動局（ＭＳ）に割り当てられていない複数の救済コードを等しく配分するように割り当てるようにプログラムされている請求項６６記載のシステム。
【請求項６９】
ネットワークプロセッサは、さらに、移動局（ＭＳ）との接続を継続することによって移動局（ＭＳ）が救済される各時点において、次に最も切断する可能性が高い移動局（ＭＳ）を除くすべての残りの非切断の移動局（ＭＳ）に、潜在的な接続の切断を持つとして検出された移動局（ＭＳ）および次に最も切断する可能性が高い移動局（ＭＳ）に割り当てられていない複数の救済コードを等しく配分するように再割り当てを行うとともに、その等しい分配には、救済された移動局（ＭＳ）に割り当てられる救済コードを含むようにプログラムされている請求項６８記載のシステム。
【請求項７０】
複数の移動局（ＭＳ）との通信を可能とし、かつ潜在的な接続の切断を持つ１ないしは複数の移動局（ＭＳ）を救済するための通信ネットワークであって、
潜在的な接続の切断に直面する前に、複数の移動局（ＭＳ）に複数の救済スロットを割り当て、潜在的な接続の切断を検出し、そして潜在的な接続の切断を持つ各移動局（ＭＳ）に対して、その潜在的な接続の切断を持つ移動局（ＭＳ）に割り当てられた救済チャネルを、その移動局（ＭＳ）に割り当てられた救済スロットの間にネットワークから送信するようにプログラムされたプロセッサを備えるネットワーク、および
１ないしは複数の移動局（ＭＳ）を備え、各移動局（ＭＳ）は、潜在的な接続の切断を検出し、ネットワークによって送信されるその移動局（ＭＳ）に割り当てられた救済チャネルをサーチし、そしてその救済チャネルが発見されたときに接続を継続するようにプログラムされたＭＳプロセッサを備える通信システム。
【請求項７１】
複数の移動局（ＭＳ）との通信を可能とし、その複数の移動局（ＭＳ）は潜在的な接続の切断を持つ２ないしはそれ以上の移動局（ＭＳ）を含むとともに、救済チャネルを送信することが可能であり、および潜在的な接続の切断を持つ複数の移動局（ＭＳ）の１ないしは複数を救済することを援助する通信システムであって、
潜在的な接続の切断に直面する前に、複数の移動局（ＭＳ）に複数の救済コードを割り当て、潜在的な接続の切断を検出し、潜在的な接続の切断を持つ各移動局（ＭＳ）によって送信された救済チャネルをサーチし、その救済チャネルはその移動局（ＭＳ）に割り当てられた救済コードによって定義されるものであり、そして、ネットワークによって受信された各救済チャネルに関して、その救済チャネルを送信した移動局（ＭＳ）との接続を継続するようにプログラムされたネットワークプロセッサを備えるネットワークを有する通信システム。
【請求項７２】
ネットワークプロセッサは、さらに、初期的に複数の移動局（ＭＳ）に複数の救済コードを等しく配分するように割り当て、そして、１つの移動局（ＭＳ）が潜在的な接続の切断を持つとして検出された各時点において、すべての残りの非切断の移動局（ＭＳ）に、潜在的な接続の切断を持つとして検出された移動局（ＭＳ）に割り当てられていない複数の救済コードを等しく配分するように割り当てるようにプログラムされている請求項７１記載のシステム。
【請求項７３】
ネットワークプロセッサは、さらに、移動局（ＭＳ）との接続を継続することによって移動局（ＭＳ）が救済される各時点において、すべての残りの非切断の移動局（ＭＳ）に、潜在的な接続の切断を持つとして検出された移動局（ＭＳ）に割り当てられていない複数の救済コードを等しく配分するように再割り当てを行うとともに、その等しい分配には、救済された移動局（ＭＳ）に割り当てられる救済コードを含むようにプログラムされている請求項７２記載のシステム。
【請求項７４】
ネットワークプロセッサは、さらに、初期的に複数の移動局（ＭＳ）に複数の救済コードを等しく配分するように割り当て、そして、１つの移動局（ＭＳ）が潜在的な接続の切断を持つとして検出された各時点において、次に最も切断する可能性が高い移動局（ＭＳ）に、潜在的な接続の切断を持つとして検出された移動局（ＭＳ）に割り当てられていない１つの救済コードを割り当て、その後、すべての残りの非切断の移動局（ＭＳ）に、潜在的な接続の切断を持つとして検出された移動局（ＭＳ）および次に最も切断する可能性が高い移動局（ＭＳ）に割り当てられていない複数の救済コードを等しく配分するように割り当てるようにプログラムされている請求項７１記載のシステム。
【請求項７５】
ネットワークプロセッサは、さらに、移動局（ＭＳ）との接続を継続することによって移動局（ＭＳ）が救済される各時点において、次に最も切断する可能性が高い移動局（ＭＳ）を除くすべての残りの非切断の移動局（ＭＳ）に、潜在的な接続の切断を持つとして検出された移動局（ＭＳ）および次に最も切断する可能性が高い移動局（ＭＳ）に割り当てられていない複数の救済コードを等しく配分するように再割り当てを行うとともに、その等しい分配には、救済された移動局（ＭＳ）に割り当てられる救済コードを含むようにプログラムされている請求項７４記載のシステム。
【請求項７６】
複数の移動局（ＭＳ）との通信を可能とし、その複数の移動局（ＭＳ）は潜在的な接続の切断を持つ２ないしはそれ以上の移動局（ＭＳ）を含むとともに、割り当てられた救済スロットの間に救済チャネルを送信することが可能であり、および潜在的な接続の切断を持つ複数の移動局（ＭＳ）の１ないしは複数を救済することを援助する通信システムであって、
潜在的な接続の切断に直面する前に、複数の移動局（ＭＳ）に複数の救済スロットを割り当て、潜在的な接続の切断を検出し、潜在的な接続の切断を持つ各移動局（ＭＳ）によって、その移動局（ＭＳ）に割り当てられた救済スロットの間に送信される救済チャネルをサーチし、そして、ネットワークによって受信された各救済チャネルに関して、その救済チャネルを送信した移動局（ＭＳ）との接続を継続するようにプログラムされたネットワークプロセッサを備えるネットワークを有する通信システム。
【請求項７７】
複数の移動局（ＭＳ）との通信を可能とし、その複数の移動局（ＭＳ）は潜在的な接続の切断を持つ２ないしはそれ以上の移動局（ＭＳ）を含むとともに、救済チャネルを受信しかつその潜在的な接続の切断を救済することが可能であり、および潜在的な接続の切断を持つ複数の移動局（ＭＳ）の１ないしは複数を救済することを援助する通信システムであって、
潜在的な接続の切断に直面する前に、複数の移動局（ＭＳ）に複数の救済コードを割り当て、潜在的な接続の切断を検出し、そして、潜在的な接続の切断を持つ各移動局（ＭＳ）に対してネットワークから救済チャネルを送信するようにプログラムされたネットワークプロセッサを備えたネットワークを有し、各救済チャネルは潜在的な接続の切断を持つ各移動局（ＭＳ）に割り当てられた救済コードによって定義されるものである通信システム。
【請求項７８】
ネットワークプロセッサは、さらに、初期的に複数の移動局（ＭＳ）に複数の救済コードを等しく配分するように割り当て、そして、１つの移動局（ＭＳ）が潜在的な接続の切断を持つとして検出された各時点において、すべての残りの非切断の移動局（ＭＳ）に、潜在的な接続の切断を持つとして検出された移動局（ＭＳ）に割り当てられていない複数の救済コードを等しく配分するように割り当てるようにプログラムされている請求項７７記載のシステム。
【請求項７９】
ネットワークプロセッサは、さらに、移動局（ＭＳ）との接続を継続することによって移動局（ＭＳ）が救済される各時点において、すべての残りの非切断の移動局（ＭＳ）に、潜在的な接続の切断を持つとして検出された移動局（ＭＳ）に割り当てられていない複数の救済コードを等しく配分するように再割り当てを行うとともに、その等しい分配には、救済された移動局（ＭＳ）に割り当てられる救済コードを含むようにプログラムされている請求項７８記載のシステム。
【請求項８０】
ネットワークプロセッサは、さらに、初期的に複数の移動局（ＭＳ）に複数の救済コードを等しく配分するように割り当て、そして、１つの移動局（ＭＳ）が潜在的な接続の切断を持つとして検出された各時点において、次に最も切断する可能性が高い移動局（ＭＳ）に、潜在的な接続の切断を持つとして検出された移動局（ＭＳ）に割り当てられていない１つの救済コードを割り当て、その後、すべての残りの非切断の移動局（ＭＳ）に、潜在的な接続の切断を持つとして検出された移動局（ＭＳ）および次に最も切断する可能性が高い移動局（ＭＳ）に割り当てられていない複数の救済コードを等しく配分するように割り当てるようにプログラムされている請求項７７記載のシステム。
【請求項８１】
ネットワークプロセッサは、さらに、移動局（ＭＳ）との接続を継続することによって移動局（ＭＳ）が救済される各時点において、次に最も切断する可能性が高い移動局（ＭＳ）を除くすべての残りの非切断の移動局（ＭＳ）に、潜在的な接続の切断を持つとして検出された移動局（ＭＳ）および次に最も切断する可能性が高い移動局（ＭＳ）に割り当てられていない複数の救済コードを等しく配分するように再割り当てを行うとともに、その等しい分配には、救済された移動局（ＭＳ）に割り当てられる救済コードを含むようにプログラムされている請求項８０記載のシステム。
【請求項８２】
複数の移動局（ＭＳ）との通信を可能とし、その複数の移動局（ＭＳ）は潜在的な接続の切断を持つ２ないしはそれ以上の移動局（ＭＳ）を含むとともに、割り当てられた救済スロットの間に救済チャネルを受信し、かつその潜在的な接続の切断を救済することが可能であり、および潜在的な接続の切断を持つ複数の移動局（ＭＳ）の１ないしは複数を救済することを援助する通信システムであって、
潜在的な接続の切断に直面する前に、複数の移動局（ＭＳ）に複数の救済スロットを割り当て、潜在的な接続の切断を検出し、そして、潜在的な接続の切断を持つ移動局（ＭＳ）に割り当てられた救済チャネルを、その移動局（ＭＳ）に割り当てられた救済スロットの間にネットワークから送信するようにプログラムされたネットワークプロセッサを備えるネットワークを有する通信システム。
【請求項８３】
ネットワークとの潜在的な接続の切断を救済することを補助する１ないし複数の移動局（ＭＳ）であって、ネットワークは潜在的な接続の切断を持つ１ないし複数の移動局（ＭＳ）の各々から救済チャネルを受信し、その接続を救済することが可能であり、その１ないし複数の移動局（ＭＳ）の各々は、
潜在的な接続の切断に直面する前に、割り当てられた救済コードを受信し、潜在的な接続の切断を検出し、そして、その移動局（ＭＳ）に割り当てられた救済コードによって定義される救済チャネルを送信するようにプログラムされたＭＳプロセッサを備える１ないし複数の移動局（ＭＳ）。
【請求項８４】
ネットワークとの潜在的な接続の切断を救済することを補助する１ないし複数の移動局（ＭＳ）であって、ネットワークは潜在的な接続の切断を持つ１ないし複数の移動局（ＭＳ）の各々から救済チャネルを受信し、その接続を救済することが可能であり、その１ないし複数の移動局（ＭＳ）の各々は、
潜在的な接続の切断に直面する前に、割り当てられた救済スロットを受信し、潜在的な接続の切断を検出し、そして、その移動局（ＭＳ）に割り当てられた救済スロットの間に救済チャネルを送信するようにプログラムされたＭＳプロセッサを備える１ないし複数の移動局（ＭＳ）。
【請求項８５】
ネットワークとの潜在的な接続の切断を救済するための１ないし複数の移動局（ＭＳ）であって、ネットワークは潜在的な接続の切断を持つ１ないし複数の移動局（ＭＳ）の各々に救済チャネルを送信することが可能であり、その１ないし複数の移動局（ＭＳ）の各々は、
潜在的な接続の切断に直面する前に、割り当てられた救済コードを受信し、潜在的な接続の切断を検出し、その移動局（ＭＳ）に割り当てられた救済コードによって定義される救済チャネルをサーチし、そして、その救済チャネルが発見されたときに、接続を継続するようにプログラムされたＭＳプロセッサを備える１ないし複数の移動局（ＭＳ）。
【請求項８６】
ネットワークとの潜在的な接続の切断を救済するための１ないし複数の移動局（ＭＳ）であって、ネットワークは潜在的な接続の切断を持つ１ないし複数の移動局（ＭＳ）の各々に救済チャネルを送信することが可能であり、その１ないし複数の移動局（ＭＳ）の各々は、
潜在的な接続の切断に直面する前に、割り当てられた救済スロットを受信し、潜在的な接続の切断を検出し、その移動局（ＭＳ）に割り当てられた救済スロットの間に救済チャネルをサーチし、そして、その救済チャネルが発見されたときに、接続を継続するようにプログラムされたＭＳプロセッサを備える１ないし複数の移動局（ＭＳ）。
【請求項８７】
複数の移動ユーザとの通信を可能とし、その複数の移動ユーザとの１ないし複数の潜在的な接続の切断を救済するための通信システムであって、
潜在的な接続の切断に直面する前に、複数の救済コードを割り当てるとともに、その潜在的な接続の切断を検出する第１の手段、および
潜在的な接続の切断に直面する前に、割り当てられた救済コードを受信し、潜在的な接続の切断を検出し、および、割り当てられた救済コードによって定義される救済チャネルを送信する１ないし複数の第２の手段を備え、
第１の手段は、潜在的な接続の切断を持つ第２の手段の各々によって送信された救済チャネルをサーチし、第１の手段によって受信された救済チャネルに関して、その救済チャネルを送信した第２の手段との接続を継続する通信システム。
【請求項８８】
複数の移動ユーザとの通信を可能とし、その複数の移動ユーザとの１ないし複数の潜在的な接続の切断を救済するための通信システムであって、
潜在的な接続の切断に直面する前に、複数の救済スロットを割り当てるとともに、その潜在的な接続の切断を検出する第１の手段、および
潜在的な接続の切断に直面する前に、割り当てられた救済スロットを受信し、潜在的な接続の切断を検出し、および、割り当てられた救済スロットの間に救済チャネルを送信する１ないし複数の第２の手段を備え、
第１の手段は、潜在的な接続の切断を持つ第２の手段の各々によって、その第２の手段に割り当てられた救済スロットの間に送信された救済チャネルをサーチし、第１の手段によって受信された救済チャネルに関して、その救済チャネルを送信した第２の手段との接続を継続する通信システム。
【請求項８９】
複数の移動ユーザとの通信を可能とし、その複数の移動ユーザとの１ないし複数の潜在的な接続の切断を救済するための通信システムであって、
潜在的な接続の切断に直面する前に、複数の救済コードを割り当てるとともに、その潜在的な接続の切断を検出する第１の手段、および
潜在的な接続の切断に直面する前に、割り当てられた救済コードを受信しおよび、潜在的な接続の切断を検出する１ないし複数の第２の手段を備え、
第１の手段は、潜在的な接続の切断を持つ第２の手段の各々に救済チャネルを送信し、その救済チャネルの各々は、その第２の手段に割り当てられた救済コードによって定義され、
潜在的な接続の切断を持つ第２の手段の各々は、その第２の手段に割り当てられた救済コードによって定義される救済チャネルをサーチし、そして、その救済チャネルが発見されたとき接続を継続する通信システム。
【請求項９０】
複数の移動ユーザとの通信を可能とし、その複数の移動ユーザとの１ないし複数の潜在的な接続の切断を救済するための通信システムであって、
潜在的な接続の切断に直面する前に、複数の救済スロットを割り当てるとともに、その潜在的な接続の切断を検出する第１の手段、および
潜在的な接続の切断に直面する前に、割り当てられた救済スロットを受信し、そして、潜在的な接続の切断を検出する１ないし複数の第２の手段を備え、
第１の手段は、潜在的な接続の切断を持つ第２の手段の各々に、その第２の手段に割り当てられた救済スロットの間救済チャネルを送信し、
潜在的な接続の切断を持つ第２の手段の各々は、その第２の手段に割り当てられた救済スロットの間に救済チャネルをサーチし、そして、その救済チャネルが発見されたとき接続を継続する通信システム。
【発明の詳細な説明】
（関連出願に対するクロスリファレンス）
本発明の実施態様は、２０００年１１月１４日に出願された米国仮特許出願第６０／２４８，９４７号の「Ｉｍｐｒｏｖｅｍｅｎｔ ｔｏ Ｒｅｓｃｕｅ Ｃｈａｎｎｅｌ ｔｏ Ｓｕｐｐｏｒｔ Ｓｉｍｕｌｔａｎｅｏｕｓ Ｒｅｓｃｕｅ ｏｆ Ｍｕｌｔｉｐｌｅ Ｄｒｏｐｐｅｄ Ｃａｌｌｓ（多数の接続の打ち切りの同時救済をサポートするための救済チャネルに対する改良）」および２００１年１０月１６日に出願された米国特許出願第０９／９７８，９７４号の「Ｆｏｒｗａｒｄ Ｌｉｎｋ Ｂａｓｅｄ Ｒｅｓｃｕｅ Ｃｈａｎｎｅｌ Ｍｅｔｈｏｄ ａｎｄ Ａｐｐａｒａｔｕｓ ｆｏｒ Ｔｅｌｅｃｏｍｍｕｎｉｃａｔｉｏｎ Ｓｙｓｔｅｍｓ（遠距離通信システムのための順方向ベース救済チャネル方法及び装置）」からの優先権を主張するものであり、その内容が、あらゆる目的に関して、参照によりここに援用される。
（発明の背景）
（発明の分野）
本発明は、通信ネットワーク管理に関し、特に、一実施態様においては、セルラまたはＰＣＳ電話等の複数の移動局と、無線通信基盤（ネットワーク）の間の、信号落ちならびに接続の打ち切りを同時に防止するための方法および装置に関する。
【０００１】
（関連技術の説明）
（序論）
緊急通信のための手段を単に提供するというより、セルラ電話は、急速に、今日的社会における通信の主要な形態になりつつある。セルラ電話の使用が普及するに従って、セルラ電話ネットワークがますます優勢になり、消費者の要求を満たすべく、より大きなエリアにわたる利用可能範囲を提供するようになっている。図１は、無線セクタＡ１４およびＢ１６を伴う第１の基地局（ＢＳ）１２、およびセクタＣ２０を伴う第２のＢＳ１８を含む無線基盤またはネットワークによってサービスされる地理的エリア内を動き回るモバイルユーザによって操作される移動局（ＭＳ）１０の例を図示している。そのような動き回りの中で、ＭＳ１０は、位置Ａから位置Ｂへ、さらに位置Ｃへと移動し、当然のことながら、通信しているＢＳ（１ないしは複数）に関連付けされている順方向リンクの信号強度ならびに信号品質における変動を経験することになる。信号の強度ならびに品質は、たとえばＭＳ１０がセクタＡ１４の破線によって定義されるエリアからセクタＢ１６の破線によって定義されるエリアへ、あるいはセクタＢ１６からセクタＣ２０へ移動するときのように、セクタの境界近傍では特に信頼性の低いものとなることがある。接続の打ち切りは、この種の遷移エリアをはじめ、そのほかの信号強度の弱い、もしくは品質の低いエリアにおいて生じやすい。なお、ここで述べられている接続には、限定する意図ではないが、音声、マルチメディアビデオまたはオーディオのストリーミング、パケット交換データおよび回路交換データ接続、ショートメッセージシーケンスまたはデータバースト、およびページングが含まれる。
【０００２】
接続の打ち切りは、セルラ電話ユーザが単に困る程度のものから大きな打撃を与えるものまで広い範囲にわたる可能性がある。たとえば、緊急の９１１接続が打ち切られた場合、それは、決定的、さらには致命的となることさえある。接続の打ち切りは、サービスプロバイダを変更させる充分ないらだちを消費者にもたらすこともある。したがって、接続の打ち切りを防止することは、セルラネットワークプロバイダにとっての主要な重要課題である。
【０００３】
（セルラ電話ネットワーク）
図２は、ＭＳ２４とＢＳ２６の間における一例としての通信リンク２２を表している。ＢＳ２６からＭＳ２４への通信は順方向リンクと呼ばれ、ＭＳ２４からＢＳ２６への通信は逆方向リンクと呼ばれる。ＢＳ２６は、通常、複数のセクタを包含し、一般にはそれが３個である。各セクタは、個別の送信機および、それぞれが異なる方向を指向するアンテナ（トランシーバ）を含む。ＢＳという用語が、しばしば、広くトランシーバと同義に使用されることから、ここでは用語ＢＳおよびセクタがある意味で相互交換可能に使用されることを理解する必要がある。順方向および逆方向のリンクは、多数の順方向および逆方向のチャネルを使用する。たとえば、ＢＳ２６は、複数の順方向チャネル上において一斉送信を行う。これらの順方向チャネルには、限定する意図ではないが、１ないしは複数のパイロットチャネル、同期チャネル、１ないしは複数のページングチャネル、複数の順方向トラフィックチャネルを含めることができる。パイロット、同期、およびページングチャネルは、ＢＳ２６がすべてのＭＳにそれらのチャネルを通信することから共通チャネルと呼ばれている。概して、これらの共通チャネルは、データの搬送には使用されず、一斉送信ならびに共通情報の配信に使用される。これに対して、複数の順方向トラフィックチャネルは、各順方向トラフィックチャネルが特定のＭＳ２４に向けられ、かつデータを搬送することができるため、専用チャネルと呼ばれている。
【０００４】
ＢＳ２６内の各セクタは、そのセクタを識別し、かつＭＳ２４が容易にデコードできるパイロットチャネルを一斉送信する。セクタおよびパイロットチャネルは、いずれも擬似ノイズ（ＰＮ）オフセットによって区別される。用語「パイロット」は、パイロットチャネルがセクタを識別することから、用語「セクタ」とほとんど相互交換可能に使用される。
【０００５】
パイロットチャネルは、ＭＳに対して黙示的にタイミング情報を提供し、コヒーレントな復調にそれが使用されるが、そのほかは通常、いかなるデータも含んでいない。ＭＳは、最初に立ち上げられたとき、パイロットチャネルのサーチを開始する。ＭＳがパイロットチャネルを獲得すると（それが復調できると）、パイロットチャネル内の黙示的なタイミング情報によってＭＳは、迅速かつ容易に、ネットワークによって送信されている同期チャネルを復調することができる。
【０００６】
同期チャネルには、より詳細なタイミング情報が含まれていることから、ＭＳが同期チャネルを獲得した後は、ＭＳは、パイロットチャネルを送信している同一のＢＳによって送信されているページングチャネルを獲得することができる。その種のＢＳは、アクティブＢＳと呼ばれる。
【０００７】
セルラネットワークが特定のＢＳを介してＭＳとの通信の開始を試みているとき、そのＢＳのページングチャネル上において、そのＭＳに対して「ページ」が送信される。したがって、ＭＳが、一旦、特定のＢＳのページングチャネルを復調できるようになった後は、そのＭＳがアイドル状態にあり、到来接続または到来メッセージを待機している間、そのページングチャネルをモニタすることができる。
【０００８】
概して、各ＢＳは、すべてのＭＳが共通に受信する、１つのパイロットチャネル、１つの同期チャネル、および１つのページングチャネルを使用することができる。しかしながら、１つのページングチャネルを使用して同時にページング可能なＭＳの数に実用上の制限があることから、中には複数のページングチャネルを使用するＢＳもある。
【０００９】
逆方向チャネルは、アクセスチャネル、１ないしは複数の逆方向トラフィックチャネルを含むことができる。ＭＳが到来「ページ」をＢＳから受信した後は、ＭＳは、一部においてアクセスチャネルを使用して接続のセットアップを開始することになる。
【００１０】
前述したチャネルは、各種のコード化の手法を使用することができる。時分割多元アクセス（ＴＤＭＡ）では、複数のチャネルがある時間ウインドウ内において特定の周波数で通信されることが可能であり、そのウインドウ内の異なる時間においてそれらが送信される。つまり、たとえばチャネルＸは、時間スロットの１セットを使用し、一方で、チャネルＹは、時間スロットの別のセットを使用する。周波数分割多元アクセス（ＦＤＭＡ）では、ある周波数ウインドウ内において特定の時間に複数のチャネルが通信されることが可能であり、そのウインドウ内の異なる周波数を用いてそれらが送信される。符号分割多元アクセス（ＣＤＭＡ）では、周波数および時間の空間が与えられ、各チャネルは、同じ周波数帯において同じ時間に送信された場合であっても互いに最小の干渉しか生じないように、特定のウォルシュコードまたは擬似直交関数（ＱＯＦ）のようなコードによって定義される。ダイレクトシーケンスＣＤＭＡにおいては、各チャネルからのデータがウォルシュコードまたはＱＯＦを使用してコード化され、その後、１つの合成信号に組み合わせられる。この合成信号が、特定の時間において広い周波数範囲にわたって拡散される。この合成信号を、オリジナルデータのコード化に用いられたのと同一のコードを使用してデコードすれば、オリジナルデータを抽出することができる。ウォルシュコードおよびＱＯＦは、組み合わされた時に互いに干渉しないコード化データを生成し、その結果、後の時点において各種のチャネル上でその情報を回復できるようにデータを分けることができるので、このようなオリジナルデータの回復が可能になる。言い換えると、データの２つのコード化シーケンスが互いに加算されて第３のシーケンスを生成するとき、その第３のシーケンスをオリジナルのコードと関連ずけることによって、オリジナルのシーケンスを回復することができる。特定のコードを用いて復調するときは、ほかのコードの知識が必要とはならない。しかしながらノイズおよび混信によって、何が実際に送信されたかについての決定を行うためにエラー修正が必要となることがある。ＣＤＭＡ無線通信システムは下記の標準によって十分に詳しく説明されており、その全ては ＴＥＬＥＣＯＭＭＵＮＩＣＡＴＩＯＮＳ ＩＮＤＵＳＴＲＹ ＡＳＳＯＣＩＡＴＩＯＮ， Ｓｔａｎｄａｒｄｓ ＆ Ｔｅｃｈｎｏｌｏｇｙ Ｄｅｐａｒｔｍｅｎｔ， ２５００ Ｗｉｌｓｏｎ Ｂｌｖｄ．， Ａｒｌｉｎｇｔｏｎ， ＶＡ ２２２０１ によって公表されており、それらの全てが参照によりここに援用される： ＴＩＡ／ＥＩＡ−９５Ｂ （１９９９年２月１日公表）；ＴＩＡ／ＥＩＡ／ＩＳ−２０００， Ｖｏｌｕｍｅｓ１−５， Ｒｅｌｅａｓｅ Ａ， （２０００年３月１日公表）。
【００１１】
例示のみを目的としてさらにＣＤＭＡについて述べると、ウォルシュコードまたはＱＯＦは、特定のチャネルのコード化に使用される。したがって、前述したように、パイロットチャネルをデコードするための単純な形は、すべてが１にコード化されたＷ０ウォルシュコードとすることである。同様に、同期チャネルは、交番極性のＷ３２ウォルシュコードを使用することが可能であり、これらのコードは一定かつ既知である。
【００１２】
各ＭＳは、チャネルを各種のセットにグループ化し、それには、限定を意図するわけではないが、アクティブセット、近隣セット、候補セット、および残余セットを含むことができる。
【００１３】
ＭＳアクティブセットは、任意の時点においてＭＳが使用しているパイロットまたはＰＮオフセット識別子を含む。すなわち、ＭＳがアイドル状態にあるが、ページングおよびオーバーヘッドの更新のために単一のＢＳをモニタしているとき、そのＭＳに関するアクティブセットは、その唯一のメンバとしてそのＢＳのパイロットまたはＰＮオフセット識別子を含むことになる。
【００１４】
しかしながら、ＭＳが１つのＢＳまたはセクタからほかへハンドオフされている時、このハンドオフの間は、同時に複数のＢＳまたはセクタと実際に通信していることがある。このような状況が生じると、アクティブセット内に、同時に複数のアクティブパイロットが存在することになる。たとえば、「ｓｏｆｔ ｈａｎｄｏｆｆ（ソフトハンドオフ）」においては、ＢＳ「Ａ」と通信しているＭＳが、最初にＢＳ「Ａ」を削除することなくＢＳ「Ｂ」との通信を開始し、その結果としてＢＳ「Ａ」およびＢＳ「Ｂ」がともにアクティブセット内に存在することになる。「ｓｏｆｔｅｒ ｈａｎｄｏｆｆ（ソフターハンドオフ）」においては、ＢＳ「Ａ」内のセクタ「Ａ」と通信しているＭＳが、最初にセクタ「Ａ」を削除することなくＢＳ「Ａ」内のセクタ「Ｂ」との通信を開始し、その結果としてセクタ「Ａ」およびセクタ「Ｂ」がともにアクティブセット内に存在することになる。しかしながら、「ｈａｒｄ ｈａｎｄｏｆｆ（ハードハンドオフ）」においては、ＢＳ「Ａ」と通信しているＭＳが、最初にＢＳ「Ａ」を削除した後に限ってＢＳ「Ｂ」との通信を開始し、その結果としていかなる時点においてもアクティブセット内には、ＢＳ「Ａ」または「Ｂ」のいずれかが存在し、両方ともに存在することはない。
【００１５】
ＭＳが複数のＢＳと通信を行っている間は、そのＭＳがレーキ受信機のフィンガを１ないしは複数のセクタからの複数のチャネルに同時に割り当てる。ＭＳが同時に複数のＢＳと通信を行っているときは、ＭＳは、それらのＢＳのそれぞれから同一のデータを受信している必要がある。しかしながら、データが同一であっても、チャネルが異なるために、異なるＢＳからそれが異なって伝達される可能性もある。そのためレーキ受信機は、異なるチャネル上において異なるセクタからのエンコード済みデータを受信し、それらのセクタからのデータを独立して復調し、その後それらのデータを結合する。データが結合されるときには、弱いチャネルからのデータ、すなわちより多くのエラーを有する可能性のあるデータより、強いチャネルからのデータに、より重い重み付けがなされる。このように、最終結果の生成においては、正しいとする公算がより高いデータに対して、より高い重み付けが与えられる。
【００１６】
ＭＳがアイドル状態の間は、共通チャネル上において、アクティブＢＳの近隣となるＢＳを含む近隣セットがそのＭＳによって受信される。しかしながら、ＭＳがアクティブであり、トラフィックチャネルを介してＢＳと通信を行っているときには、トラフィックチャネル上において近隣セットが更新される。
【００１７】
そのほかの、アクティブセット、近隣セット、または候補セット（後述）内に含まれていないネットワーク内のＢＳは、残余セットを構成する。図３に示されているように、ＭＳがアイドルかアクティブかによらず、ネットワークは、ＭＳに対してオーバーヘッドメッセージ３０、３２、および３４を繰り返し送信する。これらのオーバーヘッドメッセージは、ネットワークの構成に関する情報を含んでいる。たとえば、拡張された近隣のリストのオーバーヘッドメッセージ３４は、ＭＳに対して、存在する近隣およびそれらを探す場所について知らせる。これらの近隣識別子は、少なくとも一時的にＭＳのメモリ内に記憶される。
【００１８】
候補セットは、ＭＳがそのアクティブセットの一部として要求したが、まだアクティブセットに昇格されていないＢＳのセットである。これらの候補ＢＳは、ネットワークが、まだＭＳからのメッセージに応答してハンドオフ指示メッセージ（ＨＤＭ）を、すなわちそのＭＳにそれらのＢＳを含めるべくアクティブセットを変更する指示を送信していないために昇格されていない。通常、その種のメッセージの交換は、後述するように、ハンドオフプロセスの一部として生じる。
【００１９】
図４は、無線通信基盤５６の一般的な構造を図示している。クライアントＭＳ３６は、継続的に、ＢＳ３８等の近隣ＢＳから受信しているパイロットチャネルの強度をモニタし、「パイロット追加スレッショルド値」より充分に強いパイロットをサーチする。近隣パイロットチャネル情報、つまりこの分野において「近隣セット」として知られている情報は、セルクラスタ４２をコントロールすることが可能なＢＳコントローラ（ＢＳＣ）４０あるいは移動交換センタ（ＭＳＣ）４４を含むネットワーク基盤統一体を介してＭＳに伝達することができる。ここで理解しておく必要があるが、ＭＳおよび１つもしくは複数のネットワーク基盤統一体は、ＭＳおよびネットワークの機能をコントロールするための１ないしは複数のプロセッサを備えている。これらのプロセッサは、当業者であれば熟知しているメモリおよびそのほかの周辺装置を備える。１つのＢＳ３８によってサービスされている領域から別の領域へＭＳ３６が移動するとき、ＭＳ３６は、特定のパイロットを「近隣セット」から「候補セット」に昇格させ、ＢＳ３８または複数のＢＳに対して、「パイロット強度測定メッセージ」（ＰＳＭＭ）を介して、当該特定のパイロットの「近隣セット」から「候補セット」への昇格を通知する。このＰＳＭＭは、受信したパイロット信号の強度に関する情報も含んでいる。ＢＳ３８は、この「パイロット強度測定メッセージ」に従ってＢＳまたはネットワークの「アクティブセット」を決定し、ＨＤＭを介して新しい「アクティブセット」をＭＳ３６に通知することができる。しかしながら、ここで注意が必要であるが、処理しなければならないＢＳリソース問題をネットワークが有していることもあるため、新しいアクティブセットは、必ずしも常にＭＳの要求に正確に応じたものになるとは限らない。
【００２０】
ＭＳ３６は、古いＢＳ３８および新しいＢＳの両者との通信を、各ＢＳのパイロットの強度が「パイロット削除スレッショルド値」を超えている限り、維持することができる。１つのパイロットがこのパイロット削除スレッショルド値より弱くなると、ＭＳ３６は、その変化をＢＳに通知する。それによりＢＳは、新しい「アクティブセット」を決定し、ＭＳ３６に対してその新しい「アクティブセット」を通知する。ＢＳによる通知があると、ＭＳ３６は弱くなったパイロットを「近隣セット」に降格する。これは、ハンドオフのシナリオの一例である。接続が失敗したときに、ＭＳ３６がハンドオフを開始し、あるいはハンドオフのプロセスに入ることは一般的である。セルの境界近傍、パイロットの汚染のあるエリア、あるいはセルのブリージングによって著しく影響を受けているエリアには、一般に利用可能範囲が不充分かまたは信号の弱い環境が存在することからこの種のことが予測され、それらについてはすべて、この分野においてよく知られている。
【００２１】
（接続の打ち切り）
接続の打ち切りは、いくつかの形で明らかになる。図５は、この分野においてＣＤＭＡ無線ネットワークに関する「レイヤ２確認応答障害」として知られる状況を示している。図５に示した例においては、ＭＳがＰＳＭＭ４８を送信してＢＳによる確認応答を要求している。ＢＳは、それを正確に受信できているが、図５に示したケースにおいては、そのＢＳの確認応答（ＡＣＫ）４６をＭＳが受信していない。ＭＳは、再送信カウンタに従ってメッセージをＮ１ｍ（＝９）回再送した後、接続を終了する（打ち切る）。「レイヤ２確認応答障害」が生じたメッセージがＰＳＭＭ４８である場合、つまりＭＳが接続を維持するために必要とするパイロットに関する要求を含むメッセージである場合に、このタイプの障害が生じることは一般的である。
【００２２】
図６は、ＣＤＭＡ無線ネットワークにおいて本発明を使用して回復が可能な第２の状況を示している。この状況は、この分野においては「順方向リンクフェード障害」として知られている。フェードは、受信信号パワーの減衰の期間である。この状況では、ＭＳがＮ２ｍ（＝１２）個の連続する不良フレーム５０を受信し、それに対する応答として、その送信機５２を停止させる。その後、Ｎ３ｍ（＝２）個の連続する良好フレームを、Ｔ５ｍ（＝５）秒後にフェードタイマがタイムアウトする前までに受信できなければ、ＭＳは、接続５４を打ち切る。ＭＳがパイロットを候補セットに昇格し、ＰＳＭＭの送信を必要としている期間、あるいはＭＳがＰＳＭＭを送信したが、まだハンドオフ指示メッセージを受信していない期間に、このタイプの障害が生じることは一般的である。
【００２３】
「レイヤ２確認応答障害」および「順方向リンクフェード障害」は、過剰に高いフレームエラーレートまたは爆発的なエラーレートに起因して生じることがある。図７に図示されているように、チャネル５８は、通常は持続時間が８０ミリ秒のスロット６０、つまりスーパーフレームに分割することができる。各スロットは、３つのフェーズ６２に分けることができる。これらのフェーズには、０、１、および２の番号が付されている。それらのフェーズの上にオーバーラップする形で４つのフレーム６４がある。これら４つのフレームは、スーパーフレームの境界で３つのフェーズとそろえられる。したがって、各フレーム６４は、通常、２０ミリ秒の長さになる。各フレーム６４内には、ヘッダエリア６６、何らかの信号情報６８、およびおそらくは何らかのデータ７０が含まれている。ここで、フレーム６４が、異なる内容を持つことを理解する必要がある。あるフレームが信号およびデータを含み、別のフレームが信号のみを含み、さらに別のフレームがデータのみを含むということもある。各フレーム６４が異なるデータレートを有することも許容され、データレートは、フレームごとを基準に変更することができる。例示のいくつかの通信標準においては、４つのレートが存在する：すなわち、１／１、１／２、１／４、および１／８である。したがって、たとえば音声アクティビティがない場合には、１／８フレームレートを用いて情報を送信することができ、これは、より遅いレートを用いて情報を伝達すれば必要な電力または帯域幅がより低く抑えられることから有利である。
【００２４】
実用的な通信ネットワークにおいては、ゼロパーセントのエラーレート（つまり、すべてのフレームが適正に受信されること）を目標とすることが現実的でも、また望ましいことでもない。むしろ、たとえば１パーセントのエラーレートが目標とされる。パワーコントロールループは、実際にこのフレームエラーレートをコントロールしている。この例の場合、フレームエラーレートが上昇して１パーセントを超えると、パワーコントロールループが、ＭＳによって送信される信号のパワーを増加し、その結果、フレームエラーレートが約１パーセントまで減少する。これに対して、フレームエラーレートが１パーセントより小さい場合には、パワーコントロールループが、送信パワーを下げて電力を節約し、フレームエラーレートが１パーセントまで上昇することを許容する。したがってＢＳは、ＭＳが特定のエリア内を移動する間、あるいは他のタイプの混信が発生または終了するとき、コンフィグレーションメッセージ内のパワーコントロールビットを介して継続的に、エラーレートを約１パーセントに維持するため種々のパワーレベルにおいて送信するようにＭＳに対して指示を与える。ＭＳは、通常、ＢＳによって推奨されているパワーレベルを尊守する。それに加えて、ＢＳが、特定のチャネルに関するその送信パワーを変更することもできる。つまり、ＢＳおよびＭＳはともに、継続的に、他方のパワーレベルを変更するために互いにフィードバックを与えることができる。しかしながら、ＢＳが、ＭＳからのフィードバックに基づいて、その送信機のパワーレベルの変更を必ずしも行う必要はない。
【００２５】
上記のパワーコントロールループにもかかわらず、セルラネットワーク内をＭＳが動き回り、物理的な障害、隣接チャネルからの混信、およびセクタのエッジ近傍の場所に起因する信号強度ならびに信号品質における変動を経験しているときには、エラーレートを約１％にコントロールできなくなることがあり、エラーレートが許容不能なレベルに上昇すれば、接続の打ち切りが問題化する。
【００２６】
（救済手続）
逆方向リンクを基礎とする救済手続または接続の再スタートは、以前からすでに提案されている。通常の逆方向リンクベースの救済手続においては、ＭＳが救済チャネルを送信し、その一方で、通信ネットワークが、１ないしは複数のセクタを使用して救済チャネルの復調を試みる。しかしながら、提案されている接続の再スタートを基礎とする救済手続は、ランダムアクセスチャネルを使用し、ＭＳがプロービングを行うことから多くの電力を必要とするだけでなく、大量の混信を導く。それに加えて、提案されている逆方向リンクベースの救済手続は、順方向フェード状態の間に限って起動され、ＢＳに先行してＭＳが送信することから不完全であり、後に説明する理由から効率も低い。
【００２７】
逆方向リンクベースの救済手続によって示される不完全さを克服するために、順方向リンクベースの救済手続が提案されている。そのような順方向リンクをベースとする救済手続の一例は、２００１年１０月１６日に出願された米国特許出願第０９／９７８，９７４号の「Ｆｏｒｗａｒｄ Ｌｉｎｋ Ｂａｓｅｄ Ｒｅｓｃｕｅ Ｃｈａｎｎｅｌ Ｍｅｔｈｏｄ ａｎｄ Ａｐｐａｒａｔｕｓ ｆｏｒ Ｔｅｌｅｃｏｍｍｕｎｉｃａｔｉｏｎ Ｓｙｓｔｅｍｓ（遠距離通信システムのための順方向ベース救済チャネル方法及び装置）」に開示されており、それは、遠距離通信システムにおいてＭＳと通信基盤との間の信号落ち及び接続の打ち切りを防止するための方法及び装置について説明している。ここで言う接続は、限定する意図ではないが、音声、マルチメディアビデオおよびオーディオストリーミング、パケット交換データおよび回路交換データコール、ショートメッセージシーケンスまたはデータバースト、およびページングを含む。ここでは包括的に「順方向救済手続」（ＦＲＰ）と呼ばれる手続は、ＭＳまたはＢＳにおいて、回復しなければ接続の打ち切りを招くことになる障害からのシステムの回復を可能にする。ＦＲＰを使用して克服可能な障害のシナリオの例には、順方向リンクのレイヤ２（Ｌ２）確認応答障害およびスレッショルド値を超える時間間隔にわたって信号落ちをもたらすフェードに起因する順方向リンク信号落ちが挙げられる。潜在的な接続の打ち切りの状況に応答して、ＭＳは、打ち切りの危険にある接続を救済するために、自主的に、そのレーキ受信機のアクティブセットにＢＳパイロットチャネルを追加する。同時に、ネットワーク通信基盤は、ＦＲＰの間にＭＳによってモニタされる可能性の高い代替順方向リンクチャネル上において送信を開始する。同じチャネルがＭＳによってモニタされ、通信基盤によって送信に用いられるのであれば、打ち切りの危機にある接続を救済することが可能になる。
【００２８】
一般的なＦＲＰには、ＭＳＦＲＰが含まれ、また通信基盤ＦＲＰを含めることもできる。図８は、典型的な接続救済におけるＭＳＦＲＰおよび通信基盤ＦＲＰの時間列の一例を示している。前述したように、ＭＳＦＲＰがすべての救済の中心となり、通信基盤ＦＲＰは、推奨されるが厳密に必要とはされない。
【００２９】
ＭＳＦＲＰのトリガは、発生する障害の種類に依存する。レイヤ２障害の場合であれば、ＦＲＰが、確認応答を求めるメッセージの、多数回にわたる再送信の失敗に応答して起動される。順方向リンクフェード障害の場合には、スレッショルド値を超える時間間隔にわたって信号落ちが存在するときＦＲＰが起動される（参照番号７２を参照）。
【００３０】
救済の試行が開始される時点において、ＭＳがＦＲＰタイマをスタートする（参照番号７４を参照）。救済が完了する前にＦＲＰタイマがタイムアウトすると、接続が打ち切られる。それに加えてＭＳは、救済の試行が開始された時点において、自身の送信機をオフにし、新しいアクティブセットを選択する（参照番号７４を参照）。この実施態様においては、事実上ＭＳが、それが送信したＰＳＭＭ（１ないしは複数）に基づいてハンドオフ指示を仮定する（そのＰＳＭＭが実際に送信されたか否か、送信に成功したか否か、あるいは確認応答があったか否かによらない）。言い換えると、ＭＳは、ハンドオフ指示なしに自発的にパイロットを「アクティブセット」に昇格させる（つまり、新しいアクティブセットは、古いアクティブセットと自発的に昇格させたアクティブパイロットの和集合になる：Ｓ”＝Ｓ　Ｕ　Ｓ’）（参照番号７６を参照）。その後ＭＳは、救済チャネルをサーチするために、この新しい「アクティブセット」内の循環を開始する。前述したように、救済チャネルという用語は、各種の通信プロトコルによって使用されるチャネルを定義するための各種スキームを包含しているが、開示の簡素化を目的として、ここでは救済チャネルを、「仮コードチャネル」（ＡＣＣ）（参照番号７８を参照）と同一視する。
【００３１】
すでに述べたが、通信基盤ＦＲＰは、推奨されてはいるが、ネットワーク内の各ＢＳに厳密に必要とされてはいない。通信基盤ＦＲＰが実行される場合には（参照番号８０を参照）、通信基盤（ネットワーク）は、ＡＣＣを送信することになるセクタを選択する。
【００３２】
ＦＲＰの一実施態様においては、救済の間にわたりＡＣＣを介してゼロ（ブランク）データが送信される。そのほかの実施態様においては、ＡＣＣを介してデータが伝達されることもあるが、ＭＳは、実際にそのＡＣＣを見つけて復調に成功する場合にもそのデータのヒアリングのみを行う。
【００３３】
ある時点において、ＭＳが、Ｎ３Ｍ個のＡＣＣの良好なフレームを見つけてその復調を行うと（参照番号８２を参照）、その送信機をオンにし、そのＢＳに対する送信を開始する。ＭＳおよびＢＳがともにあらかじめ決定された数の良好なフレームを受信すると、救済が完了し（参照番号８４を参照）、ＢＳは、そのＭＳをより永続的なチャネルに割り当てし直す。それに加えて、ネットワークが、たとえばオーバーヘッドを介してＡＣＣの再割り当てを行うこともできる。さらにＢＳは、「救済完了ハンドオフ」メッセージ８６を送信することによって、ＭＳのアクティブセットの再割り当てを行い、救済後のクリーンアップを行うことができるが、そのメッセージには、「汎用またはユニバーサルハンドオフ指示」メッセージ等のすでに存在するハンドオフメッセージを再使用することが可能である。順方向リンクベースの救済手続に関する更なる詳細については、２００１年１０月１６日に出願された米国特許出願第０９／９７８，９７４号の「Ｆｏｒｗａｒｄ Ｌｉｎｋ Ｂａｓｅｄ Ｒｅｓｃｕｅ Ｃｈａｎｎｅｌ Ｍｅｔｈｏｄ ａｎｄ Ａｐｐａｒａｔｕｓ ｆｏｒ Ｔｅｌｅｃｏｍｍｕｎｉｃａｔｉｏｎ Ｓｙｓｔｅｍｓ（遠距離通信システムのための順方向ベース救済チャネル方法及び装置）」を参照されたい。
【００３４】
しかしながら、上述したＦＲＰは、一度に単一の接続を救済する手続を開示するのみである。したがって、打ち切りの危険にある複数の接続を同時に救済するためのメカニズムが必要とされている。
（発明の要約）
本発明の実施態様は、複数の接続が同時に切断しつつある時に、通信接続を打ち切りから救済する効果的かつ安全な手続を提供するものである。接続の同時救済は、順方向リンクおよび逆方向リンクベースの救済手続の両方に適用することができる。１つのアプローチにおいて、ネットワークは、複数のＭＳに救済コードを割り当て、その後、救済コードによって定義される救済チャネルを用いて同時救済が開始されることができる。衝突の機会を最小化するために、ネットワークは、可能な限り、救済が必要な複数のＭＳが異なる救済コードを使用することを保証しようと試みる。これは、多数の救済コードを持ち、複数のＭＳに戦略的に救済コードを割り当てたり、擬似ランダムに救済コードを割り当てたり（例えばＥＳＮベースのハッシュを使用する）すること等によって達成できる。
【００３５】
本発明の一実施態様においては、１つのＭＳの接続が切断する各時点において、残りの複数のＭＳには、使用されていない救済コードが残りただ１つとなるまで、切断しているＭＳによって使用されていない複数の救済コードが等しく配分されるように割り当てられ、未使用の救済コードがただ１つとなったときには、残りの複数のすべてのＭＳにその１つの未使用の救済コードが割り当てられる。さらに、切断しつつあるＭＳが救済されたとき、その割り当てられた救済コードは、再び利用可能となり、この新しく利用可能となったリソースのために、救済コードの戦略的割り当てが改訂される。代替の実施態様においては、１つのＭＳの接続が切断する各時点において、その切断しているＭＳによって使用されていなかった救済コードの１つが、次に最も切断する可能性が高いＭＳに割り当てられ、残りの複数のＭＳに、切断しているＭＳによって使用されていなかった残りの救済コードが等しく配分されるように割り当てられる。使用されていなかった救済コードが残りただ１つであるときは、残りの複数のＭＳのすべてに、全ての救済コードが等しく配分されるように割り当てられる。
【００３６】
その他の、相互に排他的ではないアプローチにおいて、ネットワークは、救済スロットを使用して、打ち切りの危険にある複数の接続を連続して救済することができる。この救済スロットアプローチにおいては、同時に複数の接続の切断が生じている場合の救済が連続して実施され、その結果、同時救済を事実上避けることができる。個々のＭＳは異なる救済スロットを選択し、もしくは割り当てられ、その異なる救済スロットにおいて救済が試みられる。救済スロットは、通常の救済期間に等しいものとして定義することができ、その結果、各救済スロットは、救済を実効あるものとするために十分な時間を提供することができる。あるいは、救済スロットは、救済を試行する間においてＭＳの送信期間に等しいものであっても良いし、もしくはＭＳ送信期間よりも短いものであっても良い。
【００３７】
ネットワークシステム時間は、救済サイクルと救済スロットに分割することができ、各ＭＳは、救済サイクル内の特定の救済スロット割り当てられる。救済サイクルの長さおよびその救済サイクルに含まれる救済スロットの数は、特定の通信標準によって定義されるか、もしくは、オーバーヘッドメッセージを使用して構成することが可能である。すべてのＭＳは、それに割り当てられた救済スロットが発生する時を計算するために、同じシステム時間基準を使用し、それにより、救済を開始することができる。複数のＭＳは、同じ救済スロットに割り当てることが可能であることに注意すべきである。
（好ましい実施態様の詳細な説明）
好ましい実施態様の詳細な説明において、本出願の一部をなすとともに、本発明が実用化されえる特定の実施態様を図示した添付図面が参照される。ここで理解される必要があるが、本発明の好ましい実施態様の範囲から逸脱することなく、そのほかの実施態様が使用され、あるいは構造的な変更がなされることは可能である。さらに理解されたいことは、ここで述べられる説明は、説明のみを目的として基本的にＣＤＭＡ通信プロトコルに言及しているが、本発明の実施態様は、そのほかの通信プロトコルならびにディジタル無線技術に広く適用可能であるということであり、限定する意図ではないが、それにはＣＤＭＡ、ＴＤＭＡ、ＦＤＭＡ、ＧＳＭ、ＧＰＲＳ等も含まれる。例えば、以下に述べる本発明の実施態様は、例証の目的のために、同時救済において使用される複数の救済チャネルを定義するための複数のコードを使用しているが、コードベースの同時救済は、複数の時間スロットが同時救済において使用される複数の救済チャネルを定義するＴＤＭＡベースの同時救済、複数の周波数帯が同時救済において使用される複数の救済チャネルを定義するＦＤＭＡベースの同時救済、及び他の複数のアクセス通信プロトコルを包含するものと理解されるべきである。
【００３８】
（コードベースの同時救済）
打ち切りの危険にある複数の接続の同時救済は、順方向リンクおよび逆方向リンクベースの救済手続に適用することができる。本発明の一実施態様に従うコードベースアプローチにおいては、ＢＳはあらゆる障害に先立って、複数のＭＳに複数の救済コードを送信することができ、その後、切断しつつある複数の接続の同時救済が、救済コードによって定義される異なる救済チャネルを使用して行なわれる。それらの救済コードは、複数のＭＳに戦略的に配分され、かつ複数のＭＳが同じ救済チャネルを使用して救済を試行する機会を最小にするために動的に変更される。順方向リンクにおいては、複数のウォルシュコードまたはＱＯＦが複数の救済コードを定義する。逆方向リンクにおいては、複数のウォルシュコード、もしくはロングまたはショートコード（ＱＯＦの一種）も複数の救済コードを定義するために使用することができる。複数のロングコードは、通常、順方向リンクにおいて暗号化のために使用され、かつ逆方向リンクにおいてＭＳのチャネル分離のために使用される（つまり、各ＭＳはそれ自身のロングコードを持つ）。
【００３９】
図９は、本発明の一実施態様によるコードベース逆方向リンク同時救済８８の例を示す。図９に例示したシステム環境においては、切断の危険にある全ての接続を検出することに先立って、ＭＳ１は、オーバーヘッドメッセージ９０を介して救済チャネルとしてＣＯＤＥ１を使用するように指示され、ＭＳ２は、オーバーヘッドメッセージ９２を介して救済チャネルとしてＣＯＤＥ２を使用するように指示される。任意の数の戦略を、複数のＭＳに複数の救済コード及び救済チャネルを割り当てることに用いることができる。衝突の機会を最小化するために、本発明の実施態様によるコードベース救済手続が、可能な限り、救済が必要な複数のＭＳが異なる救済コードを使用することを保証しようと試みる。これは、以下に詳細に論じられるように、多数の救済コードを持ち、複数のＭＳに戦略的に救済コードを割り当てたり、擬似ランダムに救済コードを割り当てたり（例えばＥＳＮベースのハッシュを使用する）すること等によって達成できる。しかしながら、コードスペース（利用可能なコードの数）及び実用上考慮すべき事項（例えば、チャネルが過度に近接して設けられた場合に生じる混信）が、任意の時点において利用可能な異なる救済チャネルの数を制限するように働く。あるいは、それらの救済コードは、標準において予め定義されたものであっても良い。
【００４０】
ＭＳ１が接続が切断しつつあることを検出すると、ＣＯＤＥ１を使用してＢＳに逆方向救済チャネル９４を送信し、ＭＳ２が接続が切断しつつあることを検出すると、ＣＯＤＥ２を使用してＢＳに逆方向救済チャネル９６を送信する。図９の例においては、ＭＳ１及びＭＳ２が、救済コードＣＯＤＥ１およびＣＯＤＥ２によって定義される異なる救済チャネルを使用することから、それらの送信は同時に行うことができる。ある時点において、ＢＳはＣＯＤＥ１およびＣＯＤＥ２によって定義される救済チャネルの良好なフレームを所定の数だけ発見し、復調すると、ＭＳ１およびＭＳ２に返送を開始する。一旦、ＭＳ１、ＭＳ２とＢＳとが所定の数の良好なフレームを受信すると、救済は完了し、接続は継続され、かつＢＳはＭＳに対してより永続的なチャネルを再度割り当てる。
【００４１】
図１０は、本発明の一実施態様によるコードベース順方向リンク同時救済９８の例を示す。図１０に例示したシステム環境においては、切断の危険にある全ての接続を検出することに先立って、ＭＳ１は、オーバーヘッドメッセージ１００を介して救済チャネルとしてＣＯＤＥ１を使用するように指示され、ＭＳ２は、オーバーヘッドメッセージ１０２を介して救済チャネルとしてＣＯＤＥ２を使用するように指示される。この場合も、任意の数の戦略を、複数のＭＳに複数の救済コード及び救済チャネルを割り当てることに用いることができる。ＭＳ１が接続が切断しつつあることを検出すると、ＢＳはＣＯＤＥ１を使用してＭＳ１に順方向救済チャネル１０４を送信し、ＭＳ２が接続が切断しつつあることを検出すると、ＢＳはＣＯＤＥ２を使用してＭＳ２に順方向救済チャネル１０６を送信する。図１０の例においては、それらが、救済コードＣＯＤＥ１およびＣＯＤＥ２によって定義される異なる救済チャネルを使用することから、それらの送信は同時に行うことができる。しかしながら、図９の逆方向リンクの救済におけるように、衝突の機会を最小化するために、本発明の実施態様は、可能な限り、救済が必要な複数のＭＳが異なる救済コードを使用することを保証しようと試みる。ある時点において、ＭＳ１およびＭＳ２がＣＯＤＥ１およびＣＯＤＥ２によって定義される救済チャネルの良好なフレームを所定の数だけ発見し、復調すると、それぞれの送信機をオンして、ＢＳに返送を開始する。一旦、ＭＳ１、ＭＳ２とＢＳとが所定の数の良好なフレームを受信すると、救済は完了し、接続は継続され、かつＢＳはより永続的なチャネルをＭＳに対して再度割り当てる。
【００４２】
上述したように、切断の危険にあるＭＳは、逆方向リンクベースの救済手続の場合には、救済のためにいずれの救済コードを使用すべきかを知っている必要があり、順方向リンクベースの救済手続の場合には、いずれの救済チャネルを捜すべきかを知っている必要がある。本発明の一実施態様においては、切断に先立って、切断しつつある複数のＭＳが同じ救済チャネルを使用して救済を試みる可能性を最小化するために、救済コードが複数のＭＳに戦略的に割り当てられる。例示の簡略化のみを目的として、２つの救済コードＣＯＤＥ１およびＣＯＤＥ２のみが利用可能な一例としての実施態様においては、その２つの救済コードが、初期的には、ランダムかつ均等にすべてのＭＳに配分される。ＣＯＤＥ１の救済コードが割り当てられた１つのＭＳの接続が切断しつつあることが検出されたならば、すべての他のＭＳにはＣＯＤＥ２が割り当てられる。そうすることによって、第１の切断しつつあるＭＳが救済される前に、第２のＭＳの切断が発生した場合に、その第２の切断しつつあるＭＳが、確実に、第１の切断しつつあるＭＳとは異なるコードを用いることができるようになる。しかしながら、この実施態様では、残りのＭＳのすべてに、ＣＯＤＥ２が割り当てられたままとなるので、２つ以上のＭＳが同時に切断する場合には、それらのＭＳはすべてＣＯＤＥ２を使用しながら救済を試みることになる。この複数のコードの動的配分は、２つ以上の救済コードが利用可能である状況にも拡張することができる。概して、１つのＭＳが切断する各時点において、残りの複数のＭＳには、使用されていない救済コードが残りただ１つとなるまで、切断しつつあるＭＳによって使用されていない複数の救済コードが等しく配分されるように割り当てられ、未使用の救済コードが１つとなったときには、残りの複数のすべてのＭＳにその１つの未使用の救済コードが割り当てられる。さらに、切断しつつあるＭＳが救済されたとき、その割り当てられた救済コードは、再び利用可能となり、この新しく利用可能となったリソースのために、救済コードの戦略的割り当てが改訂される。
【００４３】
代替の実施態様においては、ＣＯＤＥ１の救済コードが割り当てられた１つのＭＳが切断しつつあることが検出された場合、ＣＯＤＥ２が次に最も切断する可能性が高いＭＳに割り当てられ（以下に詳細に説明される）、他の複数のＭＳのすべてには、その２つの救済コードが５０：５０となる配分で割り当てられる。そうすることによって、第１の切断しつつあるＭＳが救済される前に、第２のＭＳの切断が発生した場合に、その第２の切断しつつあるＭＳが、第１の切断しつつあるＭＳとは異なるコードを使用する可能性を高めることができる。さらに、この実施態様では、残りの複数のＭＳのすべてに対して、ＣＯＤＥ１およびＣＯＤＥ２を等しく割り当てたままにするので、２つ以上のＭＳが同時に切断する場合には、ＣＯＤＥ１とＣＯＤＥ２を使用して救済を試行するＭＳがより等しく分布することになる。この複数のコードの動的配分は、２つ以上の救済コードが利用可能であり、切断する可能性があると判別された一連のＭＳに複数の救済コードを識別して割り当てる状況にも拡張することができる。概して、１つのＭＳが切断する各時点において、次に切断する可能性の高いＭＳに、切断しつつあるＭＳによって使用されていない１つの救済コードが割り当てられ、残りの複数のＭＳには、切断しつつあるＭＳによって使用されていない残りの複数の救済コードが等しく配分されるように割り当てられる。未使用の救済コードが残り１つであるときには、すべての救済コードが、残りの複数のＭＳのすべてに対して等しく配分されるように割り当てられる。さらに、切断しつつあるＭＳが救済されたとき、その割り当てられた救済コードは、再び利用可能となり、この新しく利用可能となったリソースのために、救済コードの戦略的割り当てが改訂される。上述した実施態様もまた、複数の切断しつつあるＭＳが同じ救済チャネルを使用して救済を試行する可能性を最小化することを試みるが、追加的に、切断する可能性の高い複数のＭＳに関して、経験的な証拠を考慮する。
【００４４】
本発明の他の実施態様においては、ネットワークが各ＭＳにいくつかの救済コードを含むリストを割り当てることができ、その場合、ＭＳは、救済コードの１つを選ぶために、ハッシング機能や他の選択手法を実行する。ネットワークは、ＭＳによって実際に選ばれた救済コードを識別するために、同じハッシング機能や選択手法を実行する。
【００４５】
次に切断する可能性が最も高いＭＳを判別するために、ＢＳは、各ＭＳから受信されたＰＳＭＭに基づいて、最も弱い信号を受信しているＭＳを識別することができる。もしくは、ＢＳは、ＭＳから受信されたＰＳＭＭにおいて、切断しつつあるＭＳと同じパイロットエネルギーのタイプやパターンを通知しているＭＳを識別することもできる。そのようなＭＳは切断しつつあるＭＳと同じ位置にあるかもしれないし、もしくは、そのＭＳと同じ種類の通信障害を経験しているかもしれず、それゆえ、近い将来において切断する可能性がある。別の実施態様においては、各ＭＳが位置特定能力を備えているならば、切断しつつあるＭＳと同じエリアにいるＭＳが次に切断する可能性が最も高いものとして識別することもできる。
【００４６】
また、順方向リンクフェード障害もしくはＬ２確認応答障害（２００１年１０月１６日に出願された米国特許出願第０９／９７８，９７４号の「Ｆｏｒｗａｒｄ Ｌｉｎｋ Ｂａｓｅｄ Ｒｅｓｃｕｅ Ｃｈａｎｎｅｌ Ｍｅｔｈｏｄ ａｎｄ Ａｐｐａｒａｔｕｓ ｆｏｒ Ｔｅｌｅｃｏｍｍｕｎｉｃａｔｉｏｎ Ｓｙｓｔｅｍｓ（遠距離通信システムのための順方向ベース救済チャネル方法及び装置）」に説明されている）に関して複数のＭＳをモニタしている間に、ＢＳは、救済手続を開始するトリガとしては十分ではないが、特定のＭＳから複数の不良フレームを受信したことを検出するかもしれない。その種のＭＳは、次に最も切断する可能性が高いＭＳとして識別することができる。もしくは、ＢＳは、救済手続を開始するトリガとしては十分ではないが、複数回のメッセージの再送信を行った後に、ＭＳから適切な確認応答を受信しないことを検出することも可能である。
【００４７】
さらなる実施態様においては、複数の不良フレームを送信し（ただし、救済手続を開始するトリガとしては十分ではない）、かつ特定の位置にいるＭＳを識別する等、複数の要素を組み合わせて使用することができる。次に切断する可能性が最も高いＭＳを識別することを含む上述した例の多くの変形例が、本発明の範囲に属することは、この混成の実施態様の説明から明らかである。
【００４８】
本発明の他の実施態様においては、各ＭＳが位置特定能力を備えているならば、ＭＳの位置を考慮して、救済コードを戦略的に割り当てることができる。複数の救済コードは、初期的には、ネットワーク内の各ＭＳの位置に基づいて均等に割り当てられる。救済コードの戦略的割り当てに位置を組み込むさらなる実施態様が、図１１に図示され、それにおいて、例示の簡略化のみを目的として、２つの救済コードＣＯＤＥ１およびＣＯＤＥ２のみが利用可能となっている。図１１において、いくつかのＭＳが領域１０８においてＢＳに接近した位置にあり、他の複数のＭＳが領域１１０においてセクタの周辺部に位置している。初期的には、２つの救済コードがランダムにもしくは等しく配分されるように、領域１０８，１１０に位置する各ＭＳに割り当てられる。領域１１０内の複数のＭＳは、切断する高い可能性を持つので、領域１１０に渡って等しく救済コードを配分することによって、領域１１０内の２つのＭＳが切断した場合に、それらに異なる救済コードが割り当てられる機会を増やすことができる。さらに、領域１１０において、ＣＯＤＥ１の救済コードが割り当てられた１つのＭＳが切断しつつあることが検出された場合、領域１１０内の残りの複数のＭＳには、それらも切断の候補であるため、ＣＯＤＥ２が割り当てられ、一方、領域１０８内の各ＭＳには、それらが切断する可能性は低いため、ＣＯＤＥ１が割り当てられる。
【００４９】
さらなる実施態様においては、救済コードに対するＭＳの割り当てが、ＭＳの優先度に基づくものであっても良い。例えば、国家公務員やより高いサービス料金を支払っているユーザが、救済コードに関するより高い優先度が与えられても良いし、もしくは他のＭＳには割り当てられない救済コードが与えられても良い。割り当ては、接続の種類（音声、データ、パケットデータ等）、複数のＭＳが過去に切断した順序、またはＭＳが救済に成功する可能性に基づくものであっても良い。ＭＳが救済に成功する可能性を判定する際、ネットワークは、過去の救済の頻度やタイミング、ならびに弱い接続を示唆する不良フレームの受信等の他の指標を考慮しても良い。
【００５０】
上記の論述より、すべて、２つの切断しつつあるＭＳが同じ救済チャネル上において救済を試みる機会を最小化することに向けられた、救済コードの戦略的割り当て及び位置の割り当てを含む上述した例の多くの変形例が本発明の範囲に属することが明らかである。
【００５１】
（救済スロットベースの同時救済）
上述したコードベーススキームに対して相互に排他的ではない、本発明の別の実施態様においては、ネットワークは、複数の救済スロットを使用して打ち切られる危険のある接続を連続的に救済することができる。この救済スロットアプローチにおいては、複数の接続の切断が同時に起こった場合、同時期の救済が実際に避けられるように、その救済が連続的に行われる。それにもかかわらず、切断が同時もしくは同時に近いタイミングで生じるため、このアプローチが、ここでは「同時」救済アプローチと呼ばれる。救済スロットを用いることなく同時救済を試行する際の不利益を説明する目的のために、図１２に、救済スロットを使用しない連続的な逆方向リンクベースの救済の概観を示す。図１２において、ＭＳ１が時刻１１２において切断しつつあることが検出され、ＭＳ２が時刻１１４において切断しつつあることが検出される。ＭＳ１とＭＳ２とがともに救済チャネルを送信している期間１２０の後に、ＭＳ１は時刻１１６において救済され、ＭＳ２は時刻１１８において救済される。図１２は、複数のＭＳが同じ時期に同じ救済チャネルを送信しようとするオーバーラップ１２０を図示しており、これは救済を妨げる可能性がある混信を生じさせる。そのような状況は、ピーク使用時間の間もしくは同じ場所（近接した位置）にいる場合に、複数のＭＳが同じ通信状態を経験することによって、接続の打ち切りが同時に発生しえるし、また同一のＢＳも接続の救済を行うことが必要とされるので、起こりえないことではないことを理解すべきである。この送信のオーバーラップは、順方向リンクベースの救済手続においては発生することがない。それは、ネットワークが、一度にただ１つのＭＳが救済されるように、救済チャネルの送信を連続して行うことができるためである。
【００５２】
本発明の実施態様は、救済スロットを使用することによって、上述した連続的な救済スキームに関して改善するものである。救済スロットアプローチにおいては、個々のＭＳが救済を試行するための異なる救済スロットを選ぶか、もしくは割り当てられる。図１３は、本発明の実施態様による救済スロットベースの同時救済スキームの基本コンセプトを示すものである。順方向リンクベースの救済１２２のため、各救済スロット１２４において、ＢＳが異なるＭＳ（例えば、ＭＳ１，ＭＳ２，等）に１つの救済チャネル（例えばＣＨ１）を送信する。逆方向リンクベースの救済１２６のため、救済サイクル１３０内の各救済スロット１２８において、異なるＭＳ（例えば、ＭＳ１，ＭＳ２，等）が同一のＢＳに対して１つの救済チャネル（例えばＣＨ１）を送信する。代替の実施態様においては、複数のＭＳに割り当てられた複数の救済チャネルが各救済スロットにおいて送信されても良い。
【００５３】
救済スロットアプローチにおいては、複数のＭＳとネットワークとがいくつかの所定の時間基準に応じて動作することが必要である。複数のＢＳと複数のＭＳは、変調コードタイミング、チャネルタイミング、スロットタイミング等を定義する、複数の参照ポイントを持つシステム時間と呼ばれる共通の時間フレームに基づいて動作する。図１４に示されるシステム時間の一例においては、ページングチャネル１３２が８０ｍｓのスーパーフレーム１３４に分けられ、各スーパーフレームが４個の２０ｍｓのフレーム１３６を含む。そのスーパーフレームは、３個のフェーズ１３８にも分けられる。各スーパーフレーム１３４はページングサイクル１４２内のページングスロット１４０の一部である。ページングサイクル内のページングスロットに対するＭＳの実際の割り当ては、ＭＳのＥＳＮおよび他のパラメータに基づくハッシングによる式によって定義することができ、それゆえ、擬似ランダムとなる。複数のＭＳが同じページングスロットに割り当てられるかもしれないことに注意すべきである。スロットサイクルインデックスによって定義されるように、ページングスロットは予測しえる間隔で繰り返される。各ページングスロットの間、そのページングスロットに割り当てられたアイドル状態のＭＳは、「目覚め」て、ページのようなそのＭＳに向けられたメッセージを探す。
【００５４】
本発明の実施態様においては、システム時間は、同様に、救済サイクルと救済スロットとに分割され、そこにおいて、各ＭＳは救済サイクル内において特定の救済スロットに割り当てられる。救済サイクルの長さおよび救済サイクルにおける救済スロットの数は、特定の通信標準によって定義されるか、もしくは、負荷状況に適応するようにオーバーヘッドメッセージを使用して構成することができる。すべてのＭＳは、同じシステム時間基準を使用して、それに割り当てられたスロットが発生するときを計算することにより、救済を開始することができる。
【００５５】
救済サイクル内の救済スロットに対するＭＳの実際の割り当ては、ＭＳのＥＳＮおよび他のパラメータに基づくハッシングによる式によって定義することができ、それゆえ、擬似ランダムとなる。複数のＭＳが同じ救済スロットに割り当てられるかもしれないことに注意すべきである。他の実施態様においては、救済スロットに対するＭＳの割り当ては、図１１を参照して論述された位置に基づく救済コードに対するＭＳの割り当てと同様に、ＭＳの位置に基づくものであっても良い。さらなる実施態様においては、救済スロットに対するＭＳの割り当ては、ＭＳの優先度に基づくものであっても良い。例えば国家公務員やより高いサービス料金を支払っているユーザが、救済スロットに関するより高い優先度が与えられても良いし、もしくは他のＭＳには割り当てられない救済コードが与えられても良い。割り当ては、接続の種類（音声、データ、パケットデータ等）、複数のＭＳが過去に切断した順序、またはＭＳが救済に成功する可能性に基づくものであっても良い。ＭＳが救済に成功する可能性を判定する際、ネットワークは、過去の救済の頻度やタイミング、ならびに弱い接続を示唆する不良フレームの受信等の他の指標を考慮しても良い。
【００５６】
このように、救済スロット同時救済アプローチにおいては、順方向リンクフェード障害のＬ２確認応答が生じたとき、もしくはＦＲＰが起動されたときに、必ずしも救済が開始されない。一旦、ＭＳが救済スロットに割り当てられた後は、いつ障害が検出されたかとは関係なく、そのＭＳは、割り当てられた救済スロットの間においてのみ救済されえる。例えば、図１５に示されるように、障害が時刻１４６において検出された場合、ＭＳは、救済が時刻１５０において完了されるまで、時間間隔１４８だけ待機しなければならない。しかしながら、引き続く障害が時刻１５２において検出された場合には、救済が時刻１５６にて完了されるまで、ＭＳは時間間隔１５４だけ待機しなければならない。ここで、本例においては、時間間隔１５４＞時間間隔１４８である。その遅れは、救済サイクル全体からスロット時間１６４を減算した時間よりも長くないことに注意すべきである。
【００５７】
救済スロットアプローチにおいては、任意の数のスロットをＭＳへの割り当てのために利用可能とすることができる。スロットの数は、スーパーフレーム内のスロット、もしくはシステム時間における他の予め定義された時間の境界に制限されない。１つの実施態様において、救済サイクルは、ページングチャネルサイクルに関するページングチャネルフレームに関連付けられ、そのページングチャネルサイクルは、長さが数分あり、それゆえ多数のスロットが救済サイクル内において利用可能となる。しかしながら、あまりにも多数のスロットが利用可能であると、ＭＳが救済される順番が回ってくるまでに非常に長い時間待機しなければならなくなる。逆に、非常に少ないスロットしか利用可能でない場合には、救済が必要な複数のＭＳが同じスロットに割り当てられる可能性が高くなってしまう。そのため、さらなる実施形態では、救済サイクル、ＭＳの数、任意の時間において切断しそうなＭＳの数等を考慮し、救済待機時間と救済が必要な複数のＭＳが同じスロットに割り当てられる可能性をともに最小化する救済スロットの数を経験的に決定する。
【００５８】
本発明の一実施態様においては、スロットが通常の救済期間に等しく定義されることができ、その結果、各救済スロットは、救済を実効あらしめるのに十分な時間を提供する。あるいは、救済スロットは、救済の試行の間の、ＭＳもしくはＢＳの送信期間（救済手続が逆方向リンクベースか順方向リンクベースかに依存する）に等しくすることができる。ＭＳもしくはＢＳの送信期間は、救済のための期間よりも短いので、各救済スロットは、救済が完了されるための十分な時間を提供することができない。しかしながら、救済スロットをＭＳもしくはＢＳの送信期間に等しくなるように設定することによって、同時送信が避けられ、それにより、複数のＭＳが同時に送信を行うことに関連して生じる混信の問題を取り除くことができる。
【００５９】
図１６に示された本発明のさらなる実施態様においては、各救済スロット１５８は、救済の試行の間、ＭＳの送信期間１６２よりも短くされることができる。これは、オーバーラップする送信１６４を発生させるが、１つの救済サイクル内においてより多くのスロットが存在することを許容するものである。送信のオーバーラップによってさえ、ネットワークは、ただ１つのＭＳが救済のために送信することが可能な時間間隔１６０を備えており、そこにおいてＢＳは、その特定のＭＳに対してのみ応答することが必要となる。この実施態様では、送信のオーバーラップおよび混信が生じるかもしれないが、より多くの救済スロット１５８があるため、２つの切断しつつあるＭＳが同じもしくは近隣の救済スロットに割り当てられ、かつこの送信オーバーラップにめぐり合う機会をより低減することができる。逆に、救済スロットとオーバーラップの数が減少するにつれて、２つの切断しつつあるＭＳが同じもしくは近隣の救済スロットに割り当てられ、そこでの混信が生じ易くなる機会が増加する。そのため、スロットの数、スロットの期間、及び送信オーバーラップの機会の間には、トレードオフが存在する。
【００６０】
以下の論述は、本発明の一実施態様に従って、救済スロットがいかにしてネットワークによって特定のＭＳに割り当てられるかの一例に関してのものである。特定のＭＳに割り当てられた救済チャネルのスロットＣＲ＿ＳＬＯＴは、次の数式１のように定義される。
【００６１】
【数１】ＣＲ＿ＳＬＯＴ＝ＰＧ＿ＳＬＯＴ　ｍｏｄ　ＣＲ＿ＳＬＯＴＳ
ここで、ＰＧ＿ＳＬＯＴはそのＭＳに割り当てられたページングスロットであり、ＣＲ＿ＳＬＯＴＳは救済スロットの総数である。数式１は、ＰＧ＿ＳＬＯＴ≧ＣＲ＿ＳＬＯＴＳであると想定する。ネットワークは、ＣＲ＿ＳＬＯＴＳを救済スロットの既知の総数に設定しても良いし、救済スロットの数を間接的に与える参照テーブルや演算式における入力を示す値に設定しても良い。例えば、８個の利用可能な救済スロット（ＣＲ＿ＳＬＯＴＳ＝８）があり、ＭＳのページングスロットが１７個（ＰＧ＿ＳＬＯＴ＝１７）であった場合、そのＭＳに関するＣＲ＿ＳＬＯＴは１（救済スロット０〜７のスロット１）となる。本例においては、ＰＧ＿ＳＬＯＴがシステム時間に関する基準として使用されるが、システム時間に関する他の基準も使用できることを注意すべきである。特定のＭＳに割り当てられるように、救済チャネルスロットＣＲ＿ＳＬＯＴを決定する一般式は、次の数式２に示すとおりである。
【００６２】
【数２】ＣＲ＿ＳＬＯＴ＝［ｔ／Ｃ１＋Ｃ２］ｍｏｄ　ＣＲ＿ＳＬＯＴＳ
ここで、ｔは割り当てられたスロットにおけるシステム時間であり、Ｃ１がスロット時間であり、Ｃ２はオフセット要素である。
【００６３】
本発明の一実施態様に従う図１４のシステム時間の例を利用した一例としての救済チャネルスキームにおいて、救済の開始を遅延させる「救済遅延タイマー」が初期値ＣＲ＿ＤＥＬＡＹ＿ＴＩＭＥ（フレーム内）に設定され、救済手続が開始されたときに、そのカウントを始める。救済は、救済遅延タイマーがその最終カウント値に達するまで禁止される。この例では、ＭＳの救済待機時間の合計は、ＭＳによって初期値（ＣＲ＿ＤＥＬＡＹ＿ＴＩＭＥ×８０＋ＣＲ＿ＳＬＯＴ＿ＡＬＩＧＮ×２０）ｍｓに設定される。ここで、ＣＲ＿ＳＬＯＴ＿ＡＬＩＧＮは、システム時間ｔにおいてＭＳの割り当てられたスロットの次の出現に達するように、ＣＲ＿ＤＥＬＡＹ＿ＴＩＭＥとは無関係に、ＭＳが待機しなければならない最小数のフレームとなる。ＣＲ＿ＳＬＯＴ＿ＡＬＩＧＮの追加は、同時に接続が打ち切られるＭＳからの救済送信が高い確率をもって時間的にオフセットされることを確実にするものである。
【００６４】
（混成の救済コード及び救済スロットベース同時救済）
上述したように、同時救済のための救済コードと救済スロットの実施態様は、相互に排他的なものではない。本発明の他の実施形態では、それら２つのスキームが組み合わされても良い。例えば、同じ救済スロットに割り当てられた２つの切断しつつあるＭＳが、それにもかかわらず、異なる救済コードに割り当てられている場合には、同時に救済されることができる。逆に、同じ救済コードに割り当てられた２つの切断しつつあるＭＳが、それにもかかわらず、異なる救済スロットに割り当てられている場合には、同時に救済されることができる。上述した、コードベース救済とスロットベース救済の特徴の種々の組合せは、本発明の範囲に属することを理解すべきである。
【００６５】
同時救済手続が、一例としてのＣＤＭＡセルラーネットワークを用いながら説明されたが、打ち切りの危険にある接続の同時救済の基本コンセプトは、ページングシステム、衛星通信システム、コードレス電話システム、フリート通信システム等の他の無線プロトコルや技術に適用可能でありもしくは拡張可能である。ここで述べられたＢＳのコンセプトは、中継機または異なるアンテナのダイバーシティスキーム、コードレスの基地、衛星またはそのほかの電話等を包含している。ここで説明したＭＳのコンセプトは、ページャ、衛星電話、コードレス電話、フリート無線等を包含している。
【００６６】
以上、本発明について、添付図面を参照し、その実施態様との関連において十分に説明してきたが、当業者にとっては各種の変更ならびに修正が明らかであることに注意が必要である。その種の変更ならびに修正は、付随する特許請求の範囲によって定義される本発明の範囲内に含まれると理解するべきである。
【図面の簡単な説明】
【図１】
無線通信システム内のセクタ間にわたり、異なる位置の間を動き回る移動局を図示している。
【図２】
無線通信システム内における移動局と基地局の間の通信リンクの一例を図示している。
【図３】
無線通信システム内において基地局から移動局へ通信されるオーバーヘッドメッセージを図示している。
【図４】
動き回っている移動局と通信する無線通信基盤を図示している。
【図５】
「レイヤ２確認応答障害」に起因して通信の打ち切りを招くことになる移動局と基地局の間におけるメッセージシーケンスを図示している。
【図６】
無線通信ネットワーク内において順方向リンクのフェードからもたらされる接続の打ち切りを表したタイムラインである。
【図７】
無線通信ネットワーク内における使用のための、３つのフェーズおよび４つのフレームに分割されるスーパーフレームのタイムラインである。
【図８】
「順方向救済手続き」が起動されたときの、その一実施態様のタイムラインである。
【図９】
本発明の一実施態様に従った同時コードベース逆方向リンク救済の一例を図示している。
【図１０】
本発明の一実施態様に従った同時コードベース順方向リンク救済の一例を図示している。
【図１１】
本発明の一実施態様に従った、救済コードの戦略的割り当てに位置がどのように組み込まれるかの一例を図示している。
【図１２】
救済スロットを使用しない連続的な逆方向リンクベースの救済における送信のオーバーラップの一例を図示している。
【図１３】
本発明の一実施態様に従ったスロットベースの同時救済スキームの基本コンセプトを図示している。
【図１４】
本発明の一実施態様に従って、変調コードタイミング、チャネルタイミング、スロットタイミング等を定義する、複数の参照ポイントを持つシステム時間と呼ばれる共通の時間フレームを図示している。
【図１５】
本発明の一実施態様に従い、時間スロット同時救済アプローチにおいて、いつ障害が検出されたかとは関係なく、ＭＳが割り当てられた救済スロットの間においてのみ救済されえることを図示している。
【図１６】
本発明の一実施態様に従い、時間スロット同時救済アプローチにおいて、各救済スロットが、ＭＳの送信期間よりも短くされ、オーバーラップする送信を発生させることを図示している。
【図１】
2004514344.tif 000003
【図２】
2004514344.tif 000004
【図３】
2004514344.tif 000005
【図４】
2004514344.tif 000006
【図５】
2004514344.tif 000007
【図６】
2004514344.tif 000008
【図７】
2004514344.tif 000009
【図８】
2004514344.tif 000010
【図９】
2004514344.tif 000011
【図１０】
2004514344.tif 000012
【図１１】
2004514344.tif 000013
【図１２】
2004514344.tif 000014
【図１３】
2004514344.tif 000015
【図１４】
2004514344.tif 000016
【図１５】
2004514344.tif 000017
【図１６】
2004514344.tif 000018
【国際公開パンフレット】
2004514344.tif 000019
2004514344.tif 000020
2004514344.tif 000021
2004514344.tif 000022
2004514344.tif 000023
2004514344.tif 000024
2004514344.tif 000025
2004514344.tif 000026
2004514344.tif 000027
2004514344.tif 000028
2004514344.tif 000029
2004514344.tif 000030
2004514344.tif 000031
2004514344.tif 000032
2004514344.tif 000033
2004514344.tif 000034
2004514344.tif 000035
2004514344.tif 000036
2004514344.tif 000037
2004514344.tif 000038
2004514344.tif 000039
2004514344.tif 000040
2004514344.tif 000041
2004514344.tif 000042
2004514344.tif 000043
2004514344.tif 000044
2004514344.tif 000045
2004514344.tif 000046
2004514344.tif 000047
2004514344.tif 000048
2004514344.tif 000049
2004514344.tif 000050
2004514344.tif 000051
2004514344.tif 000052
2004514344.tif 000053
2004514344.tif 000054
2004514344.tif 000055
2004514344.tif 000056
2004514344.tif 000057
2004514344.tif 000058
2004514344.tif 000059
2004514344.tif 000060
2004514344.tif 000061
2004514344.tif 000062
2004514344.tif 000063
2004514344.tif 000064
2004514344.tif 000065
2004514344.tif 000066
2004514344.tif 000067
2004514344.tif 000068
2004514344.tif 000069
2004514344.tif 000070
2004514344.tif 000071
2004514344.tif 000072
2004514344.tif 000073
2004514344.tif 000074
2004514344.tif 000075
2004514344.tif 000076
2004514344.tif 000077
【国際公開パンフレット（コレクトバージョン）】
2004514344.tif 000078
2004514344.tif 000079
【国際公開パンフレット（コレクトバージョン）】
2004514344.tif 000080
2004514344.tif 000081
2004514344.tif 000082
2004514344.tif 000083
2004514344.tif 000084
2004514344.tif 000085
2004514344.tif 000086
2004514344.tif 000087
2004514344.tif 000088
2004514344.tif 000089
2004514344.tif 000090
2004514344.tif 000091
2004514344.tif 000092
2004514344.tif 000093
2004514344.tif 000094
2004514344.tif 000095
2004514344.tif 000096
2004514344.tif 000097
2004514344.tif 000098
2004514344.tif 000099
2004514344.tif 000100
2004514344.tif 000101
2004514344.tif 000102
2004514344.tif 000103
2004514344.tif 000104
2004514344.tif 000105
2004514344.tif 000106
2004514344.tif 000107
2004514344.tif 000108
2004514344.tif 000109
2004514344.tif 000110
2004514344.tif 000111
2004514344.tif 000112
2004514344.tif 000113
2004514344.tif 000114
2004514344.tif 000115
2004514344.tif 000116
2004514344.tif 000117
2004514344.tif 000118
2004514344.tif 000119
2004514344.tif 000120
2004514344.tif 000121
2004514344.tif 000122
2004514344.tif 000123
2004514344.tif 000124
2004514344.tif 000125
2004514344.tif 000126
2004514344.tif 000127
2004514344.tif 000128
2004514344.tif 000129
2004514344.tif 000130
2004514344.tif 000131
2004514344.tif 000132
2004514344.tif 000133
2004514344.tif 000134
2004514344.tif 000135
2004514344.tif 000136
2004514344.tif 000137
2004514344.tif 000138
2004514344.tif 000139
【国際調査報告】
2004514344.tif 000140
2004514344.tif 000141